(57)【要約】【課題】周囲に存在する他の機器との関係を利用して、ユーザが使用する機器の楽しみを提供する。【解決手段】電子機器１００は、周囲に存在する電子機器１０１〜１０６から出力される電波（電子機器１００宛ではない電波を含む複数の電波）に基づいて、複数のコンテンツのうちからユーザに提供する少なくとも１つのコンテンツを決定する。また、電子機器１００は、周囲に存在する電子機器１０１〜１０６から出力される電波（電子機器１００宛ではない電波を含む複数の電波）に基づいて、当該電波に基づく無線通信に関する処理及び当該電波に基づく無線通信を利用した処理とは異なる複数の処理のうちから少なくとも１つの処理を選択して実行する。【選択図】図１
2019164780.tif 000002
【特許請求の範囲】
【請求項１】
周囲に存在する機器から出力される電波であって自機器宛ではない電波を含む複数の電波の受信強度に基づいて、複数のコンテンツのうちからユーザに提供する少なくとも１つのコンテンツを決定する電子機器。
【請求項２】
前記電子機器は、前記電子機器が受信した前記電波の数と当該電波の受信強度との関係に基づいて、前記コンテンツの決定を行う請求項１に記載の電子機器。
【請求項３】
前記電子機器は、前記電子機器が受信した前記電波の数と当該電波の受信強度と当該電波に基づいて特定可能な前記周囲に存在する機器に関する情報との関係に基づいて、前記コンテンツの決定を行う請求項１または２に記載の電子機器。
【請求項４】
前記機器に関する情報は、当該機器の種別、当該機器のメーカー、当該機器の型番、当該機器の固有情報、当該機器に付与された名称のうちの少なくとも１つである請求項３に記載の電子機器。
【請求項５】
周囲に存在する機器から出力される電波であって自機器宛ではない電波を含む複数の電波の受信強度に基づいて、当該電波に基づく無線通信に関する処理及び当該電波に基づく無線通信を利用した処理とは異なる複数の処理のうちから少なくとも１つの処理を選択して実行する電子機器。
【請求項６】
複数の他の機器との相対的な関係に基づいて、複数のコンテンツのうちからユーザに提供する少なくとも１つのコンテンツを決定する電子機器。
【請求項７】
複数の他の機器との相対的な関係に基づいて、当該他の機器との無線通信に関する処理及び当該他の機器との無線通信を利用した処理とは異なる複数の処理のうちから少なくとも１つの処理を選択して実行する電子機器。
【請求項８】
周囲に存在する機器から出力される電波であって自機器宛ではない電波を含む１または複数の電波に基づいて、複数のコンテンツのうちからユーザに提供する少なくとも１つのコンテンツを決定する電子機器。
【請求項９】
対象機器と複数の他の機器との相対的な関係に基づいて、前記対象機器と前記他の機器との無線通信に関する処理及び前記対象機器と前記他の機器との無線通信を利用した処理とは異なる複数の処理のうちから少なくとも１つの処理を選択して前記対象機器に実行させる情報処理装置。
【請求項１０】
電子機器の周囲に存在する機器から出力される電波であって前記電子機器宛ではない電波を含む複数の電波の受信強度に基づいて、複数のコンテンツのうちから前記電子機器に提供する少なくとも１つのコンテンツを決定する情報処理装置。
【請求項１１】
電子機器の周囲に存在する機器から出力される電波であって前記電子機器宛ではない電波を含む１または複数の電波に基づいて、複数のコンテンツのうちから前記電子機器に提供する少なくとも１つのコンテンツを決定する情報処理方法。
【請求項１２】
電子機器の周囲に存在する機器から出力される電波であって前記電子機器宛ではない電波を含む１または複数の電波に基づいて、当該電波に基づく無線通信に関する処理及び当該電波に基づく無線通信を利用した処理とは異なる複数の処理のうちから少なくとも１つの処理を選択して前記電子機器に実行させる情報処理方法。
【請求項１３】
電子機器と複数の他の機器との相対的な関係に基づいて、複数のコンテンツのうちから前記電子機器に提供する少なくとも１つのコンテンツを決定する情報処理方法。
【請求項１４】
電子機器と複数の他の機器との相対的な関係に基づいて、前記電子機器と当該他の機器との無線通信に関する処理及び前記電子機器と当該他の機器との無線通信を利用した処理とは異なる複数の処理のうちから少なくとも１つの処理を選択して前記電子機器に実行させる情報処理方法。
【発明の詳細な説明】
【技術分野】
【０００１】
本発明は、電子機器に関する。特に、無線通信を利用する電子機器、情報処理装置及び情報処理方法に関する。
【背景技術】
【０００２】
世界各地において、携帯電話、スマートフォン、タブレット端末等の各種の電子機器が使用されている。これらの電子機器は、画像、動画、音楽等のコンテンツを出力することができる。また、これらの電子機器は、無線通信を利用して各種通信を行うことができる。また、画像、動画、音楽等のコンテンツのやりとりを行うことができる。例えば、複数の機器間で、無線通信を利用してコンテンツのやりとりを行う技術が存在する（例えば、特許文献１）。
【先行技術文献】
【特許文献】
【０００３】
【特許文献１】特開２０１６−９６４９９号公報
【発明の概要】
【発明が解決しようとする課題】
【０００４】
従来技術では、複数の機器間で無線通信を利用してコンテンツのやりとりを行うことができる。ここで、近年では、携帯型の通信機器（例えば、スマートフォン、タブレット端末）や固定型の通信機器（例えば、スマート家電、ＡＩ（Artificial Intelligence）スピーカ）が多数存在する。このため、ユーザが使用している機器（例えば、スマートフォン）の周囲に多数の他の機器が存在することが想定される。このような環境（ユーザが使用する機器の周囲に複数の他の機器が存在する環境）において、ユーザが使用する機器は、通信相手の機器との間では、その通信相手の機器から出力される電波を利用して各処理（例えば、コンテンツのやりとり）を行うことができる。また、そのような環境において、ユーザが使用する機器は、通信相手の機器以外の機器からの電波も受信している。そこで、そのような環境において、通信相手の機器やそれ以外の機器からの電波を利用して、通信相手の機器との通信に基づく処理以外の処理を行うことができれば、ユーザが使用する機器の楽しみが増加すると考えられる。
【０００５】
そこで、本発明は、周囲に存在する他の機器との関係を利用して、ユーザが使用する機器の楽しみを提供することを目的とする。
【課題を解決するための手段】
【０００６】
本発明の一形態は、周囲に存在する機器から出力される電波であって自機器宛ではない電波を含む１または複数の電波に基づいて、複数のコンテンツのうちからユーザに提供する少なくとも１つのコンテンツを決定する電子機器、情報処理装置である。また、本発明の一形態は、電子機器の周囲に存在する機器から出力される電波であって前記電子機器宛ではない電波を含む１または複数の電波に基づいて、複数のコンテンツのうちから前記電子機器に提供する少なくとも１つのコンテンツを決定する情報処理方法及びその方法をコンピュータに実行させるプログラムである。
【０００７】
また、本発明の一形態は、周囲に存在する機器から出力される電波であって自機器宛ではない電波を含む１または複数の電波に基づいて、当該電波に基づく無線通信に関する処理及び当該電波に基づく無線通信を利用した処理とは異なる複数の処理のうちから少なくとも１つの処理を選択して実行する電子機器、情報処理装置である。また、本発明の一形態は、電子機器の周囲に存在する機器から出力される電波であって前記電子機器宛ではない電波を含む１または複数の電波に基づいて、当該電波に基づく無線通信に関する処理及び当該電波に基づく無線通信を利用した処理とは異なる複数の処理のうちから少なくとも１つの処理を選択して前記電子機器に実行させる情報処理方法及びその方法をコンピュータに実行させるプログラムである。
【０００８】
また、これらの場合において、前記電子機器は、前記１または複数の電波の受信強度に基づいて、前記コンテンツの決定を行うようにしてもよい。また、前記電子機器は、前記電子機器が受信した前記電波の数と当該電波の受信強度との関係に基づいて、前記コンテンツの決定を行うようにしてもよい。
【０００９】
また、これらの場合において、前記電子機器は、前記１または複数の電波に基づいて特定可能な前記周囲に存在する機器に関する情報に基づいて、前記コンテンツの決定を行うようにしてもよい。なお、前記機器に関する情報は、当該機器の種別、当該機器のメーカー、当該機器の型番、当該機器の固有情報、当該機器に付与された名称のうちの少なくとも１つとすることができる。また、前記電子機器は、前記電子機器が受信した前記電波の数と当該電波を出力した機器に関する情報との関係に基づいて、前記コンテンツの決定を行うようにしてもよい。
【００１０】
また、本発明の一形態は、複数の他の機器との相対的な関係に基づいて、複数のコンテンツのうちからユーザに提供する少なくとも１つのコンテンツを決定する電子機器、情報処理装置である。また、本発明の一形態は、電子機器と複数の他の機器との相対的な関係に基づいて、複数のコンテンツのうちから前記電子機器に提供する少なくとも１つのコンテンツを決定する情報処理方法及びその方法をコンピュータに実行させるプログラムである。
【００１１】
また、本発明の一形態は、複数の他の機器との相対的な関係に基づいて、当該他の機器との無線通信に関する処理及び当該他の機器との無線通信を利用した処理とは異なる複数の処理のうちから少なくとも１つの処理を選択して実行する電子機器、情報処理装置である。また、本発明の一形態は、電子機器と複数の他の機器との相対的な関係に基づいて、前記電子機器と当該他の機器との無線通信に関する処理及び前記電子機器と当該他の機器との無線通信を利用した処理とは異なる複数の処理のうちから少なくとも１つの処理を選択して前記電子機器に実行させる情報処理方法及びその方法をコンピュータに実行させるプログラムである。
【００１２】
また、本発明の一形態は、対象機器と複数の他の機器との相対的な関係に基づいて、前記対象機器と前記他の機器との無線通信に関する処理及び前記対象機器と前記他の機器との無線通信を利用した処理とは異なる複数の処理のうちから少なくとも１つの処理を選択して前記対象機器に実行させる電子機器、情報処理装置である。また、本発明の一形態は、対象機器と複数の他の機器との相対的な関係に基づいて、前記対象機器と前記他の機器との無線通信に関する処理及び前記対象機器と前記他の機器との無線通信を利用した処理とは異なる複数の処理のうちから少なくとも１つの処理を選択して前記対象機器に実行させる情報処理方法及びその方法をコンピュータに実行させるプログラムである。
【００１３】
なお、対象機器と複数の他の機器との相対的な関係（例えば、対象機器と他の機器との推定距離）は、例えば、各機器から出力される電波に基づいて把握することができる。例えば、前記１または複数の電波の受信強度に基づいて、対象機器と他の機器との相対的な関係を把握することができる。また、対象機器が受信した電波の数と当該電波の受信強度との関係に基づいて、対象機器と他の機器との相対的な関係を把握することができる。
【００１４】
また、例えば、１または複数の電波に基づいて特定可能な機器に関する情報に基づいて、対象機器と他の機器との相対的な関係を把握することができる。なお、機器に関する情報は、当該機器の種別、当該機器のメーカー、当該機器の型番、当該機器の固有情報、当該機器に付与された名称のうちの少なくとも１つとすることができる。また、対象機器が受信した電波の数と当該電波を出力した機器に関する情報との関係に基づいて、対象機器と他の機器との相対的な関係を把握することができる。
【００１５】
また、対象機器と他の機器との相対的な関係（例えば、電子機器と複数の他の機器との距離）は、例えば、各機器に関する位置情報に基づいて把握することができる。
【発明の効果】
【００１６】
本発明によれば、周囲に存在する他の機器との関係を利用して、ユーザが使用する機器の楽しみを提供することができるという効果を奏する。
【図面の簡単な説明】
【００１７】
【図１】第１の実施の形態における通信システム１の構成例を簡略化して示す図である。
【図２】第１の実施の形態における電子機器１００の機能構成例を示すブロック図である。
【図３】第１の実施の形態における電子機器１００における電波状況に基づいて提供情報を決定する場合に用いる判定情報（テーブル）の一例を示す図である。
【図４】第１の実施の形態における電子機器１００により提供される情報（提供情報）の一例を示す図である。
【図５】第１の実施の形態における電子機器１００が他の機器から出力される電波の強度を用いて提供情報を決定する場合の例を示す図である。
【図６】第１の実施の形態における電子機器１００が他の機器から出力される電波の強度を用いて提供情報を決定する場合の例を示す図である。
【図７】第１の実施の形態における電子機器１００から提供情報（コンテンツ）を出力する場合の例を簡略化して示す図である。
【図８】第１の実施の形態における電子機器１００による情報提供出力処理の一例を示すフローチャートである。
【図９】第２の実施の形態における電子機器１００により提供情報を決定する場合に用いられる判定情報の一例を示す図である。
【図１０】第２の実施の形態における電子機器１００が電波を受信した他の機器の種別を用いて提供情報を決定する場合の例を示す図である。
【図１１】第２の実施の形態における電子機器１００が電波を受信した他の機器の種別を用いて提供情報を決定する場合の例を示す図である。
【図１２】第２の実施の形態における電子機器１００から提供情報（コンテンツ）を出力する場合の例を簡略化して示す図である。
【図１３】第２の実施の形態における電子機器３０１〜３０５を山に設置した場合を簡略化して示す図である。
【図１４】第２の実施の形態における電子機器１００により提供情報を決定する場合に用いられる各種情報の一例を示す図である。
【図１５】第２の実施の形態における電子機器１００により提供情報を決定する場合に用いられる各種情報の一例を示す図である。
【図１６】第２の実施の形態における電子機器１００が電波を受信した他の機器の種別を用いて提供情報を決定する場合の例を示す図である。
【図１７】第２の実施の形態における電子機器１００からコンテンツを出力する場合の例を簡略化して示す図である。
【図１８】第２の実施の形態における電子機器３１１〜３１５を店に設置した場合を簡略化して示す図である。
【図１９】第２の実施の形態における電子機器１００により提供情報を決定する場合に用いられる各種情報の一例を示す図である。
【図２０】第２の実施の形態における電子機器１００により提供情報を決定する場合に用いられる各種情報の一例を示す図である。
【図２１】第２の実施の形態における電子機器１００が電波を受信した他の機器の種別を用いて提供情報を決定する場合の例を示す図である。
【図２２】第２の実施の形態における電子機器１００からコンテンツを出力する場合の例を簡略化して示す図である。
【図２３】第２の実施の形態における通信システム４０の構成例を簡略化して示す図である。
【図２４】第２の実施の形態における電子機器１００、４０１〜４０４により判定情報を用いて決定された提供情報ＯＩと、提供情報との対応関係の一例を示す図である。
【図２５】第２の実施の形態における電子機器１００を用いて表示装置４１０の表示部４１１に表示されるキャラクタＡに道具７５を追加表示させるための操作例を示す図である。
【図２６】第２の実施の形態における電子機器１００の表示部１５０に表示される物語ゲームの一例を簡略化して示す図である。
【図２７】第２の実施の形態における電子機器１００により判定情報を用いて決定された提供情報ＯＩと、提供情報４４１、４４２、４４３との対応関係の一例を示す図である。
【図２８】第２の実施の形態における電子機器１００の表示部１５０に提供情報を表示する場合の表示例を示す図である。
【図２９】第２の実施の形態における電子機器１００の表示部１５０に表示される育てるゲームの遷移例を簡略化して示す図である。
【図３０】第２の実施の形態における電子機器１００により判定情報を用いて決定された提供情報ＯＩと、提供情報４６１、４６２、４６３との対応関係の一例を示す図である。
【図３１】第２の実施の形態における電子機器１００の表示部１５０に表示される放浪ゲームの遷移例を簡略化して示す図である。
【図３２】第２の実施の形態における電子機器１００により判定情報を用いて決定された提供情報ＯＩと、提供情報４７１、４７２、４７３との対応関係の一例を示す図である。
【図３３】第２の実施の形態における電子機器１００による提供情報決定処理の一例を示すフローチャートである。
【図３４】第３の実施の形態における電子機器５００の機能構成例を示すブロック図である。
【図３５】第３の実施の形態における電子機器５００により提供情報を決定する際に用いられる特定地域５１１と、提供情報ＯＩ（５１２）と、提供情報（音声情報５１３及び画像情報５１４）との対応関係の一例を示す図である。
【図３６】第３の実施の形態における電子機器５００によるコンテンツ出力処理の一例を示すフローチャートである。
【図３７】第４の実施の形態における電子機器５５０、５６０の機能構成例を示すブロック図である。
【図３８】第４の実施の形態における電子機器５５０及び電子機器５６０による通信処理例を示すフローチャートである。
【図３９】第５の実施の形態における通信システム６００のシステム機能構成例を示す図である。
【図４０】第５の実施の形態におけるサーバ６１０及び電子機器６３０の機能構成例を示すブロック図である。
【図４１】第５の実施の形態におけるサーバ６１０及び電子機器６３０による通信処理例を示すフローチャートである。
【図４２】第６の実施の形態における通信システム７００のシステム機能構成例を示す図である。
【図４３】第６の実施の形態におけるサーバ７１０及び電子機器７３０の機能構成例を示すブロック図である。
【図４４】第６の実施の形態におけるサーバ７１０が管理する登録情報の一例を示す図である。
【図４５】第６の実施の形態における電子機器７３０と他の機器との位置関係に基づいて提供情報を決定する場合に用いる判定情報（テーブル）の一例を示す図である。
【図４６】第６の実施の形態におけるサーバ７１０が電子機器７３０と他の機器（電子機器７４１〜７４５）との位置情報を用いて提供情報を決定する場合の例を示す図である。
【図４７】第６の実施の形態におけるサーバ７１０が電子機器７３０と他の機器（電子機器７４１〜７４５）との位置情報を用いて提供情報を決定する場合の例を示す図である。
【図４８】第６の実施の形態におけるサーバ７１０及び電子機器７３０による通信処理例を示すフローチャートである。
【発明を実施するための形態】
【００１８】
次に本発明の実施の形態について図面を参照して詳細に説明する。
【００１９】
［第１の実施の形態：他の機器との相対的な位置関係に基づいて提供情報を決定する例］
［通信システムの構成例］
図１は、第１の実施の形態における通信システム１の構成例を簡略化して示す図である。図１では、電子機器１００〜１０６のそれぞれが無線通信機能を備え、電子機器１００〜１０６間で無線通信を行うことが可能な例を示す。また、電子機器１００〜１０４、１０６は、ユーザＰ０〜Ｐ６により所持され、電子機器１０５は、固定されている例を示す。
【００２０】
通信システム１において、電子機器１００は、他の機器（電子機器１０１〜１０６）のそれぞれから出力された電波を受信することができる。例えば、電子機器１００の近くに存在する電子機器１０３から出力された電波の強度（電子機器１００における受信強度）は、他の機器（電子機器１０１、１０２、１０４〜１０６）から出力された電波の強度よりも強くなることが想定される。一方、電子機器１００との間に障害物２が存在する電子機器１０６から出力された電波の強度は、比較的弱くなることが想定される。
【００２１】
ここで、電子機器１００〜１０６のそれぞれは、無線通信として、例えば、無線ＬＡＮ（Local Area Network）（例えば、Ｗｉ−Ｆｉ（Wireless Fidelity））、Ｂｌｕｅｔｏｏｔｈ（登録商標）（ＩＥＥＥ（Institute of Electrical and Electronics Engineers）８０２．１５．１）、ＺｉｇＢｅｅ（ＩＥＥＥ８０２．１５．４）、ＷｉＭａｘ、赤外線通信などの各種の無線通信規格の無線通信のうちの少なくとも１つを行うことができるものとする。また、電子機器１００〜１０６のそれぞれは、無線通信として、例えば、公衆網（例えば、３Ｇ（3rd Generation）、４Ｇ（4th Generation）、５Ｇ（5th Generation）、ＬＴＥ（Long Term Evolution））を用いるようにしてもよい。なお、これらは、無線通信の一例であり、他の無線通信規格の無線通信などに各実施の形態を適用するようにしてもよい。
【００２２】
なお、第１の実施の形態では、説明を容易にするため、無線通信として、電子機器１００〜１０６のそれぞれが無線ＬＡＮ（例えば、Ｗｉ−Ｆｉ）により無線通信を行う例を示す。また、第１の実施の形態では、電子機器１００以外の他の機器（電子機器１０１〜１０６）のそれぞれは、例えば、無線ＬＡＮの親機となることが可能な機器であるものとする。無線ＬＡＮの親機となることが可能な機器は、例えば、無線ＬＡＮルーター、公衆アクセスポイント、モバイルルーター、テザリング機能を有する無線機器（例えば、スマートフォン、タブレット端末、ウエアブル機器）である。また、無線ＬＡＮの親機となることが可能な機器は、ＳＳＩＤ（Service Set Identifier）を有する。なお、ＳＳＩＤは、ＩＥＥＥ８０２．１１規格で定められているアクセスポイントの識別子である。また、ＳＳＩＤは、例えば、機器名、ユーザによって設定された名称、他の文字列などの識別子であり、他の機器に表示することが可能である。例えば、機器名、ユーザによって設定された名称、他の文字列などで、ＳＳＩＤが表示される。このため、電子機器１００は、他の機器（電子機器１０１〜１０６）のそれぞれのＳＳＩＤ（例えば、機器名、ユーザによって設定された名称、他の文字列）を表示部１５０（図２に示す）に表示させることができる。これにより、電子機器１００のユーザＰ０は、他の機器（電子機器１０１〜１０６）のそれぞれのＳＳＩＤ（例えば、機器名、ユーザによって設定された名称、他の文字列）を視覚的に把握することができる。また、電子機器１００の制御部１２０（図２に示す）は、他の機器（電子機器１０１〜１０６）のそれぞれのＳＳＩＤ（例えば、機器名、ユーザによって設定された名称、他の文字列）を把握することができる。このため、電子機器１００の制御部１２０は、他の機器（電子機器１０１〜１０６）の機器名、ユーザによって設定された名称、他の文字列などを把握することができる。
【００２３】
また、第１の実施の形態では、電子機器１００における電波強度（他の機器（電子機器１０１〜１０６）のそれぞれから出力された電波の受信強度）を用いる例を示す。なお、電波強度（受信電波強度）の測定方法については、公知の測定方法を用いることができる。例えば、無線ＬＡＮ（例えば、Ｗｉ−Ｆｉ）の無線通信機能を備える機器（例えば、パーソナルコンピュータ、スマートフォン、タブレット端末、ウエアブル機器）には、他の機器から出力される電波の強度を測定し、その測定結果とＳＳＩＤとを機器毎に表示する機能（例えば、ＳＳＩＤとともに、電波強度レベルを５段階で表示）を備えるものが存在する。この機能により、無線ＬＡＮ環境の状況を容易に確認することができる。このような機能を用いて、他の機器の電波強度を取得することができる。なお、複数の規格の無線通信を行うことが可能な機器については、各無線通信機能により受信した各電波の測定を行うようにしてもよく、少なくとも１つの無線通信機能（例えば、Ｗｉ−Ｆｉの無線通信機能）により受信した電波の測定を行うようにしてもよい。この場合には、提供情報の決定に用いる電波を受信するための無線通信機能（例えば、Ｗｉ−Ｆｉの無線通信機能）を用いるようにする。また、第１の実施の形態では、５段階の電波強度レベルを用いる例を示すが、４段階以下、または、６段階以上の電波強度レベルを用いるようにしてもよい。
【００２４】
［電子機器の機能構成例］
図２は、第１の実施の形態における電子機器１００の機能構成例を示すブロック図である。電子機器１００は、例えば、スマートフォン、タブレット端末等の電子機器や情報処理装置である。
【００２５】
電子機器１００は、通信部１１０と、制御部１２０と、記憶部１３０と、操作部１４０と、表示部１５０と、音声出力部１６０とを有する。なお、電子機器１００は、バッテリを内蔵または装着してバッテリを電源として用いるようにしてもよく、バッテリを内蔵せずに外部からの電源を用いるようにしてもよい。
【００２６】
通信部１１０は、制御部１２０の制御に基づいて、他の機器との間で、有線回線または無線回線を介して、各種情報のやりとりを行うものである。例えば、無線通信を利用して各種情報のやりとりを行う場合には、通信部１１０は、アンテナ（図示せず）を介して、電波の送受信を行う。例えば、通信部１１０は、上述した各種の無線通信規格の無線通信のうちの少なくとも１つの無線通信を行うことができる。なお、通信部１１０は、所定範囲内に存在する通信機器との間で無線通信を行うとともに、携帯電話会社等の通信事業者が設置する基地局を介して所定のネットワーク（例えば、インターネット）に接続して無線通信を行うようにしてもよい。また、通信部１１０は、例えば、アンテナを備え、無線通信機能を備える通信モジュールや、有線通信機能を備える通信モジュールにより実現される。
【００２７】
制御部１２０は、記憶部１３０に記憶されている制御プログラムに基づいて電子機器１００の各部を制御するものである。制御部１２０は、例えば、ＣＰＵ（Central Processing Unit）により実現される。なお、ＣＰＵは、制御装置（制御回路）及び演算装置（演算回路）からなる中央処理装置（電子機器）である。
【００２８】
記憶部１３０は、各種情報を記憶するメモリである。例えば、記憶部１３０には、電子機器１００が各種処理を行うために必要となる各種情報（例えば、制御プログラム、提供対象となる情報を決定するための情報（例えば、図３、図９、図１４、図１９に示す判定情報）が記憶される。また、記憶部１３０には、その情報（例えば、図３、図９、図１４、図１９に示す判定情報）に基づいて提供される情報（提供情報）（例えば、図４、図１５、図２０、図２４、図２７、図３０、図３２、図３５に示す提供情報）が記憶される。なお、記憶部１３０については、取り外し可能な記憶部とするようにしてもよく、電子機器１００に内蔵される記憶部としてもよい。また、電子機器１００には、取り外し可能な記憶部と、内蔵される記憶部との双方を設けるようにしてもよい。
【００２９】
操作部１４０は、電子機器１００を操作するための操作入力を受け付けるものである。例えば、操作部１４０は、各種の操作部材（例えば、スイッチ、ボタン）やタッチパネル等のユーザインタフェースとすることができる。
【００３０】
表示部１５０は、制御部１２０の制御に基づいて各種情報を出力する表示部である。表示部１５０として、例えば、有機ＥＬ（Electro Luminescence）パネル、ＬＣＤ（LiquidCrystal Display）パネル等の表示パネルを用いることができる。なお、操作部１４０及び表示部１５０については、使用者がその指を表示面に接触または近接することにより操作入力を行うことが可能なタッチパネルを用いて一体で構成することができる。ただし、操作部１４０及び表示部１５０については、別体で構成するようにしてもよく、操作部１４０については、操作部材により操作を受け付けるようにしてもよい。また、タッチパネル等のユーザインタフェースとは別体の操作部材を設け、この操作部材により操作を受け付けるようにしてもよい。また、操作部に相当する画像を壁等に投影して、その画像を利用（例えば、ユーザが指す）して操作を行うことが可能なユーザインタフェースとしてもよい。
【００３１】
音声出力部１６０は、制御部１２０の制御に基づいて、各種音声を出力する音声出力部（例えば、スピーカ）である。
【００３２】
［他の機器から出力される電波の強度を用いて提供情報を決定するための判定情報例］
図３は、第１の実施の形態における電子機器１００における電波状況に基づいて提供情報を決定する場合に用いる判定情報（テーブル）の一例を示す図である。図３に示す判定情報は、電子機器１００における電波状況と、提供情報ＯＩとの対応関係を示す情報である。この判定情報は、記憶部１３０に記憶される。また、各実施の形態で示す電波強度は、電波を受信する機器（受信機器側）における電波強度（受信機器側で受信した電波の強度）を意味するものとする。
【００３３】
図３において、電波強度順位＃１、…、＃６は、電子機器１００が受信する電波（他の機器から出力された電波）の強度のうち、電波強度の強い機器の順位を示す値である。また、図３に示す判定情報（テーブル）は、各機器の電波強度を電波強度順に並べた場合の複数のパターンと、提供情報ＯＩ（ＯＩ１〜ＯＩＭ（ただし、Ｍは正の整数））とが関連付けられている情報である。例えば、電子機器１００が他の機器からの電波を全く受信していない場合には、電子機器１００が受信した電波の強度は全て「０」であるため、提供情報ＯＩとしてＯＩ１が決定される。また、例えば、電子機器１００が１台の機器からの電波のみを受信し、かつ、その受信した電波の強度が「１」である場合には、提供情報ＯＩとしてＯＩ２が決定される。また、例えば、電子機器１００が６台以上の機器からの電波を受信し、かつ、少なくとも６台の機器からの電波が「５」である場合には、提供情報ＯＩとしてＯＩＭ（ただし、Ｍは正の整数）が決定される。なお、各実施の形態で示す提供情報ＯＩに付される文字と数字の組み合わせ（例えば、図３に示すＯＩＸ１〜ＯＩＸ３、図４に示すＯＩＹ１、ＯＩＹ２）については、説明を容易にするため、提供情報ＯＩを識別するために付す情報であり、これらの文字や数字により提供情報ＯＩの順序等を規定するものではない。このように、図３に示す判定情報には、電波強度順位＃１〜＃６と、各機器の電波強度０〜５（ただし、０は受信していない場合を意味する）との全ての組み合わせ（パターン）が定義される。例えば、提供情報ＯＩ１には、全て「０」のパターン「０、０、０、０、０、０」が定義される。また、提供情報ＯＩ２には、１つが「１」で他が全て「０」のパターン「１、０、０、０、０、０」が定義される。また、提供情報ＯＩ３には、２つが「１」で他が全て「０」のパターン「１、１、０、０、０、０」が定義される。以降も同様に定義され、提供情報ＯＩＭには、全て「５」のパターン「５、５、５、５、５、５」が定義される。
【００３４】
なお、第１の実施の形態では、電波強度順位として６位までの順位（＃１〜＃６）を使用する例を示すが、５位以上の順位、または、７位以下の順位を使用するようにしてもよい。また、電波強度順位の数については、予め設定しておくようにしてもよく、ユーザ操作によりユーザの好みの値を設定するようにしてもよい。
【００３５】
また、Ｍの値については、電波強度順位の数と、電波強度を表す値（第１の実施の形態では、１〜５）とに基づいて決定される。例えば、電波強度順位の数が３であり、電波強度を表す値が１、２（機器が存在しない場合には０）の場合には、１０に決定される。また、例えば、電波強度順位の数が３であり、電波強度を表す値が１〜３（機器が存在しない場合には０）の場合には、２０に決定される。また、電波強度順位の数が６であり、電波強度を表す値が１〜５（機器が存在しない場合には０）の場合には、４６３に決定される。ただし、電波強度順位の数と、電波強度を表す値とによっては、Ｍの値が大きくなりすぎ、提供情報（例えば、図４に示す音声情報１１及び画像情報１２）を用意できないことも想定される。このため、Ｍの値が、提供情報（例えば、図４に示す音声情報１１及び画像情報１２）の数よりも多い場合には、同一の情報（音声情報１１及び画像情報１２）を、異なる情報（提供情報ＯＩ）に割り当てるようにしてもよい。
【００３６】
［提供情報例］
図４は、第１の実施の形態における電子機器１００により提供される情報（提供情報）の一例を示す図である。具体的には、図３に示す判定情報を用いて決定された提供情報ＯＩと、提供情報（音声情報１１及び画像情報１２）との対応関係の一例を示す。この提供情報は、記憶部１３０に記憶される。
【００３７】
例えば、提供情報ＯＩとしてＯＩ１が決定された場合には、サンタに関する情報（音声情報１１、画像情報１２）が提供対象となる。サンタに関する情報は、例えば、「あこがれのサンタの夢をみよう」の音声を出力するための情報（音声情報１１）や、サンタの写真や図形化された画像を表示するための情報（画像情報１２）である。なお、図４では、説明を容易にするため、音声出力の対象となる文字、表示対象となる画像を簡易的に示す。なお、これらの提供例については、図７を参照して説明する。また、図４では、提供情報として、音声情報１１及び画像情報１２を例にして説明するが、音声情報１１及び画像情報１２のうちの一方を提供情報としてもよい。また、音声情報や画像情報以外の情報（例えば、匂い情報、味覚情報、触覚情報）を提供情報としてもよい。また、ユーザに対して何らかの優遇を与える情報（例えば、クーポン、優待、ポイント）を提供情報としてもよい。
【００３８】
［他の機器から出力される電波の強度を用いて提供情報を決定する例］
図５、図６は、第１の実施の形態における電子機器１００が他の機器から出力される電波の強度を用いて提供情報を決定する場合の例を示す図である。なお、図５、図６では、図１に示す電子機器１０１〜１０６から出力される電波の強度を用いて提供情報を決定する例を示す。
【００３９】
図５（１）には、電子機器１００が電子機器１０１〜１０６から受信した電波の強度を電子機器１０１〜１０６の順序で並べて示す。第１の実施の形態では、電波強度を５段階の数値に対応する棒グラフ（５つの棒のうち黒塗りの棒が強度（５が最強、１が最低）を示す）により示す。図５（１）では、上段に電子機器１０１〜１０６の名称を示し、中段に各機器の電波強度を棒グラフで示し、下段に各機器の電波強度の順位を示す。
【００４０】
例えば、電子機器１００が電子機器１０１から受信した電波の強度は「２」であり、電子機器１００が電子機器１０２から受信した電波の強度は「４」であり、電子機器１００が電子機器１０３から受信した電波の強度は「５」であり、電子機器１００が電子機器１０４から受信した電波の強度は「３」であり、電子機器１００が電子機器１０５から受信した電波の強度は「２」であり、電子機器１００が電子機器１０６から受信した電波の強度は「１」である。この場合に、電波強度「５」の電子機器１０３が電波強度順位で１位（＃１）となり、電波強度「４」の電子機器１０２が電波強度順位で２位（＃２）となり、電波強度「３」の電子機器１０４が電波強度順位で３位（＃３）となり、電波強度「２」の電子機器１０１、１０５が電波強度順位で４、５位（＃４、５）となり、電波強度「１」の電子機器１０６が電波強度順位で６位（＃６）となる。
【００４１】
図５（２）には、図５（１）の下段に示す電波強度順位の順序で並べた場合の電子機器１０１〜１０６の電波強度を示す。なお、これ以降では、電子機器１０１〜１０６を識別する情報を使用しないため、電子機器１０１〜１０６を識別する符号等を省略して示す。
【００４２】
図５（３）には、図５（２）に示す電波強度（５、４、３、２、２、１）と一致する電波強度を図３に示す判定情報から抽出する場合の抽出例を示す。なお、図５（３）に示す判定情報は、図３に示す判定情報と同一であり、図５（３）では、図３に示す判定情報のうちの一部を省略して示す。また、図５（３）では、図５（２）に示す電波強度（５、４、３、２、２、１）と一致する電波強度を、破線の矩形１３内に示す。
【００４３】
図６には、図５（３）に示す判定情報を用いて提供情報ＯＩとして決定されたＯＩＸ１に関連付けられている音声情報１１及び画像情報１２を抽出する場合の抽出例を示す。なお、図６に示す提供情報は、図４に示す提供情報と同一である。また、図６では、ＯＩＸ１に関連付けられている音声情報１１及び画像情報１２を、破線の矩形１４内に示す。
【００４４】
ここで、電子機器１００が、図６に示す音声情報１１及び画像情報１２（破線の矩形１４内）を決定するまでの各処理について説明する。最初に、電子機器１００の制御部１２０は、通信部１１０により受信された他の機器からの電波の強度（電波強度）を測定する。この場合に、電子機器１００の制御部１２０は、自機器宛（電子機器１００宛）の電波と、自機器宛（電子機器１００宛）ではない電波との双方の電波強度を測定する。例えば、図５（１）に示すように、他の機器からの電波強度の測定結果（電波強度レベル）を５段階で把握することができる。そして、電子機器１００の制御部１２０は、その電波強度レベル（５段階）を機器毎に保持する。次に、電子機器１００の制御部１２０は、所定のタイミング（例えば、図８に示すステップＳ２０３の提供条件を満たすタイミング）で、複数の機器について電波強度レベル（５段階）の順位を決定する。例えば、図５（１）の下段に示すように、各電波強度の順位が決定される。なお、第１の実施の形態では、複数の電波（自機器宛（電子機器１００宛）の電波、自機器宛（電子機器１００宛）ではない電波）のうち、少なくとも、自機器宛（電子機器１００宛）ではない電波を用いて、提供情報ＯＩを決定する例を示す。例えば、電子機器１００が電子機器１０５との間で無線通信をしている場合には、電子機器１０５から出力される電波（自機器宛の電波）とともに、他の電波（自機器宛ではない電波）を用いて、提供情報ＯＩを決定することができる。また、例えば、電子機器１００が他の機器と無線通信をしていない場合（例えば、電子機器１００が待機状態である場合）には、受信可能な１または複数の電波（自機器宛ではない電波）を用いて、提供情報ＯＩを決定することができる。また、自機器宛（電子機器１００宛）の電波（１または複数）のみを用いて、提供情報ＯＩを決定するようにしてもよい。
【００４５】
次に、電子機器１００の制御部１２０は、各電波強度と、各電波強度の順位との関係に基づいて、提供情報ＯＩを決定する。例えば、電子機器１０１〜１０６の電波強度が、図５（１）（２）に示す電波強度レベルである場合には、電波強度（５、４、３、２、２、１）と一致する電波強度（図５（３）に示す破線の矩形１３内）を、図５（３）に示す判定情報から抽出し、提供情報ＯＩをＯＩＸ１と決定する。そして、電子機器１００の制御部１２０は、提供情報ＯＩとして決定されたＯＩＸ１に関連付けられている音声情報１１及び画像情報１２（図６に示す破線の矩形１４内）を出力する。
【００４６】
例えば、電子機器１００の制御部１２０は、提供情報ＯＩとして決定されたＯＩＸ１に関連付けて記憶部１３０に記憶されている音声情報１１に基づいて、音声出力部１６０から音声を出力させる。また、電子機器１００の制御部１２０は、提供情報ＯＩとして決定されたＯＩＸ１に関連付けて記憶部１３０に記憶されている画像情報１２に基づいて、表示部１５０に表示させる。この音声情報及び画像情報の出力処理（コンテンツ出力処理）は、電子機器１００の周囲に存在する機器から出力される電波（自機器宛ではない電波を含む１または複数の電波）に基づいて、当該電波に基づく無線通信に関する処理及び当該電波に基づく無線通信を利用した処理（例えば、相手機器との間でコンテンツをやりとりする処理、相手機器からの制御情報に基づいて各種動作を行う処理、相手機器に制御情報を送信して、その制御情報に基づいて相手機器に各種動作を実行させる処理）とは異なる複数の処理（複数のコンテンツの出力処理（相手機器との無線通信とは無関係の処理））のうちから少なくとも１つの処理（ＯＩＸ１に対応するコンテンツの出力処理）を選択して実行される処理である。なお、この提供例については、図７に示す。
【００４７】
［電子機器からコンテンツを出力する例］
図７は、第１の実施の形態における電子機器１００から提供情報（コンテンツ）を出力する場合の例を簡略化して示す図である。なお、図７に示す例は、図５、図６に示す例により決定された提供情報（コンテンツ）を出力する例を示す。
【００４８】
上述したように、電子機器１００の制御部１２０は、ＯＩＸ１に関連付けられている音声情報１１（図６に示す破線の矩形１４内）に基づいて、「雪だるまのようにじっくり待とう」の音声を音声出力部１６０から出力させる。また、電子機器１００の制御部１２０は、ＯＩＸ１に関連付けられている画像情報１２（図６に示す破線の矩形１４内）に基づいて、雪だるまの画像を表示部１５０に表示させる。
【００４９】
これにより、電子機器１００を所持するユーザＰ０は、電子機器１００とその周囲に存在する他の機器との関係に基づいて決定されるコンテンツの出力を楽しむことができる。また、例えば、ユーザＰ０が移動したり、他の機器を所持するユーザが移動したりした場合には、提供対象となるコンテンツが変わる可能性があり、意外性のあるコンテンツの出力を楽しむことができる。また、他の機器から受信する電波の強度のみを使用し、他の機器やその使用者を識別する情報を用いないため、他の機器を所持するユーザの個人情報などを用いる必要がない。このため、第１の実施の形態で示すサービスを利用し易くすることができる。
【００５０】
［情報を提供する動作例］
図８は、第１の実施の形態における電子機器１００による情報提供出力処理の一例を示すフローチャートである。図８では、操作部１４０の操作により電子機器１００の電源がオンされた後に、提供条件を満たした場合に情報を提供する動作例を示す。
【００５１】
最初に、電子機器１００の制御部１２０は、通信部１１０により受信された電波を測定して各電波情報（例えば、電波強度）を取得する（ステップＳ２０１）。そして、電子機器１００の制御部１２０は、取得した電波情報を機器毎に記憶部１３０に保持させる（ステップＳ２０２）。この電波情報の取得処理は、定期的に行うようにしてもよく、不定期に行うようにしてもよい。
【００５２】
次に、電子機器１００の制御部１２０は、提供条件を満たすか否かを判断する（ステップＳ２０３）。そして、提供条件を満していない場合には、ステップＳ２０１に戻り、提供条件を満たす場合には、ステップＳ２０４に進む。
【００５３】
ここで、提供条件を満たすか否かを判断する判断基準として、例えば、所定時間が経過したか否か、所望の提供情報（例えば、所望のコンテンツ）が提供対象として決定可能となったか否か、所定のユーザ操作（例えば、コンテンツ出力ボタンの押下操作）が行われたか否かを用いることができる。なお、所定時間は、例えば、電子機器１００の電源がオンされてからの経過時間や、電子機器１００の電源がオンされた後に、直前の情報（提供情報）が提供されてからの経過時間に基づいて判断することができる。また、所定時間は、予め設定されている時間とするようにしてもよく、ユーザ操作によりユーザの好みに応じた時間を設定するようにしてもよい。
【００５４】
提供条件を満たす場合には（ステップＳ２０３）、電子機器１００の制御部１２０は、記憶部１３０に保持されている電波情報に基づいて、提供対象となる情報を決定する（ステップＳ２０４）。例えば、電子機器１００の制御部１２０は、記憶部１３０に保持されている各機器の電波強度に基づいて、提供対象となるコンテンツを決定する（ステップＳ２０４）。具体的には、例えば、電子機器１００の制御部１２０は、各電波強度と、各電波強度の順位との関係に基づいて、提供情報ＯＩを決定する。例えば、電子機器１０１〜１０６の電波強度が、図５（１）（２）に示す電波強度レベルである場合には、電波強度（５、４、３、２、２、１）と一致する電波強度（図５（３）に示す破線の矩形１３内）を、図５（３）に示す情報から抽出し、提供情報ＯＩをＯＩＸ１と決定する。
【００５５】
次に、電子機器１００の制御部１２０は、提供対象として決定した情報を提供する（ステップＳ２０５）。例えば、電子機器１００の制御部１２０は、提供対象として決定したコンテンツを出力させる（ステップＳ２０５）。例えば、図７に示すように、電子機器１００の制御部１２０は、提供情報ＯＩとして決定されたＯＩＸ１に関連付けられている音声情報１１及び画像情報１２（図６に示す破線の矩形１４内）を出力する。
【００５６】
このように、電子機器１００（制御部１２０）は、周囲に存在する機器（例えば、電子機器１０１〜１０６）から出力される電波（自機器宛ではない電波を含む１または複数の電波）に基づいて、複数のコンテンツのうちからユーザに提供する少なくとも１つのコンテンツを決定することができる。具体的には、電子機器１００（制御部１２０）は、周囲に存在する機器（例えば、電子機器１０１〜１０６）から出力される電波（自機器宛ではない電波を含む１または複数の電波）の受信強度に基づいて、複数のコンテンツのうちからユーザに提供する少なくとも１つのコンテンツを決定することができる。さらに、具体的には、電子機器１００（制御部１２０）は、電子機器１００が受信した電波の数と当該電波の受信強度との関係（例えば、各機器の電波強度を電波強度順に並べた場合の複数のパターン（例えば、図３に示す判定情報の電波強度順位のパターン））に基づいて、複数のコンテンツのうちからユーザに提供する少なくとも１つのコンテンツを決定することができる。
【００５７】
また、電子機器１００（制御部１２０）は、周囲に存在する機器（例えば、電子機器１０１〜１０６）から出力される電波（自機器宛ではない電波を含む１または複数の電波）に基づいて、当該電波に基づく無線通信に関する処理及び当該電波に基づく無線通信を利用した処理とは異なる複数の処理（例えば、提供情報ＯＩ１〜ＯＩＭに対応するコンテンツの出力処理）のうちから少なくとも１つの処理（例えば、提供情報ＯＩＸ１に対応するコンテンツの出力処理）を選択して実行することができる。具体的には、電子機器１００（制御部１２０）は、周囲に存在する機器（例えば、電子機器１０１〜１０６）から出力される電波（自機器宛ではない電波を含む１または複数の電波）の受信強度に基づいて、当該電波に基づく無線通信に関する処理及び当該電波に基づく無線通信を利用した処理とは異なる複数の処理のうちから少なくとも１つの処理を選択して実行することができる。さらに、具体的には、電子機器１００（制御部１２０）は、電子機器１００が受信した電波の数と当該電波の受信強度との関係（例えば、各機器の電波強度を電波強度順に並べた場合の複数のパターン（例えば、図３に示す判定情報の電波強度順位のパターン））に基づいて、当該電波に基づく無線通信に関する処理及び当該電波に基づく無線通信を利用した処理とは異なる複数の処理のうちから少なくとも１つの処理を選択して実行することができる。
【００５８】
また、電子機器１００（制御部１２０）は、複数の他の機器（例えば、電子機器１０１〜１０６）との相対的な関係（例えば、受信電波強度により推定される各機器との距離）に基づいて、複数のコンテンツのうちからユーザに提供する少なくとも１つのコンテンツを決定することができる。なお、受信電波強度に基づいて各機器との距離を推定する場合には、受信電波強度と距離との関係を示すテーブルを予め記憶しておき、このテーブルを用いて各機器との距離を推定することができる。
【００５９】
このように、電子機器１００（制御部１２０）は、周囲に存在する複数の機器（例えば、電子機器１０１〜１０６）から出力される電波に基づいて、複数の情報のうちから提供対象となる情報を決定することができる。また、電子機器１００（制御部１２０）は、周囲に存在する複数の機器（例えば、電子機器１０１〜１０６）から出力される電波に基づいて、複数の処理のうちから少なくとも１つの処理を選択して実行することができる。すなわち、電子機器１００（制御部１２０）は、周囲に存在する複数の機器（例えば、電子機器１０１〜１０６）から出力される電波の受信強度に基づいて、複数の情報のうちから提供対象となる情報を決定することができる。また、電子機器１００（制御部１２０）は、周囲に存在する複数の機器（例えば、電子機器１０１〜１０６）から出力される電波の受信強度に基づいて、複数の処理のうちから少なくとも１つの処理を選択して実行することができる。
【００６０】
また、電子機器１００（制御部１２０）は、周囲に存在する複数の機器（例えば、電子機器１０１〜１０６）から出力される電波（自機器宛の電波及び自機器宛ではない電波）のうちの少なくとも複数の受信強度に基づいて、複数の処理（例えば、提供情報ＯＩ１〜ＯＩＭに対応するコンテンツの出力処理）のうちから少なくとも１つの処理（例えば、提供情報ＯＩＸ１に対応するコンテンツの出力処理）を選択して実行することができる。
【００６１】
また、電子機器１００（制御部１２０）は、周囲に存在する複数の機器（例えば、電子機器１０１〜１０６）から出力される電波の受信強度に基づいて、当該電波に基づく無線通信によりやりとりされる情報とは無関係の処理（例えば、提供情報ＯＩ１〜ＯＩＭに対応するコンテンツの出力処理）を行うことができる。
【００６２】
また、電子機器１００（制御部１２０）は、周囲に存在する複数の機器（例えば、電子機器１０１〜１０６）から出力される電波の受信強度に基づいて特定される電子機器１００を基準とした場合における複数の機器との相対的な関係（例えば、受信電波強度により推定される各機器との距離）に基づいて、複数の処理（例えば、提供情報ＯＩ１〜ＯＩＭに対応するコンテンツの出力処理）のうちから少なくとも１つの処理（例えば、提供情報ＯＩＸ１に対応するコンテンツの出力処理）を選択して実行することができる。
【００６３】
［第２の実施の形態：他の機器の種別を用いて情報を提供する例］
第１の実施の形態では、他の機器の電波強度を用いて、提供情報を決定する例を示したが、電波強度以外の他の情報を用いることも可能である。そこで、第２の実施の形態では、他の機器の種別を用いて、提供情報を決定する例を示す。なお、第２の実施の形態は、第１の実施の形態の変形例であり、第１の実施の形態と共通する部分については、その説明の一部を省略する。
【００６４】
［他の機器の種別を用いて提供情報を決定するための判定情報の例］
図９は、第２の実施の形態における電子機器１００により提供情報を決定する場合に用いられる判定情報の一例を示す図である。この判定情報は、記憶部１３０に記憶される。
【００６５】
図９では、電子機器１００における電波状況と他の機器の種別とに基づいて提供情報を決定する場合に用いる判定情報（テーブル）の一例を示す。また、図９に示す判定情報は、電子機器１００における電波状況と、他の機器の種別と、電子機器１００からの提供情報ＯＩとの対応関係を示す情報である。
【００６６】
図９に示す判定情報では、電波強度を表す数値の代わりに、他の機器の種別を用いる。なお、図９に示す判定情報のうち、電波強度順位＃１、…、＃６と、提供情報ＯＩとについては、図３に示す例と共通する。すなわち、図９に示す判定情報（テーブル）は、各機器の種別を電波強度順に並べた場合の複数のパターンと、提供情報ＯＩ（ＯＩ１〜ＯＩＭ（ただし、Ｍは正の整数））とが関連付けられている情報である。
【００６７】
例えば、電子機器１００が他の機器からの電波を全く受信していない場合には、電子機器１００が受信した電波の強度は全て「０」であるため、提供情報ＯＩとしてＯＩ１が決定される。また、例えば、電子機器１００が１台の機器からの電波のみを受信し、かつ、その電波を送信した機器が「スマートフォン（スマホ）」である場合には、提供情報ＯＩとしてＯＩ２が決定される。また、例えば、電子機器１００が６台以上の機器からの電波を受信し、かつ、電波強度の強い上位６台の機器が「携帯（携帯電話）」である場合には、提供情報ＯＩとしてＯＩＭが決定される。このように、図９に示す判定情報には、電波強度順位＃１〜＃６と、各機器の種別（ただし、０は受信可能な機器が存在しない場合を意味する）との全ての組み合わせ（パターン）が定義される。例えば、提供情報ＯＩ１には、全て「０」のパターン「０、０、０、０、０、０」が定義される。また、提供情報ＯＩ２には、１つが「スマートフォン」で他が全て「０」のパターン「スマートフォン、０、０、０、０、０」が定義される。また、提供情報ＯＩ３には、２つが「スマートフォン」で他が全て「０」のパターン「スマートフォン、スマートフォン、０、０、０、０」が定義される。以降も同様に定義され、提供情報ＯＩＭには、全て「携帯」のパターン「携帯、携帯、携帯、携帯、携帯、携帯」が定義される。
【００６８】
なお、第２の実施の形態では、電波強度順位として６位までの順位（＃１〜＃６）を使用する例を示すが、５位以上の順位、または、７位以下の順位を使用するようにしてもよい。また、電波強度順位の数については、予め設定しておくようにしてもよく、ユーザ操作によりユーザの好みの値を設定するようにしてもよい。
【００６９】
ここで、機種の種別の取得方法については、公知の取得方法を用いることができる。上述したように、例えば、無線ＬＡＮ（例えば、Ｗｉ−Ｆｉ）の無線通信機能を備える機器（例えば、パーソナルコンピュータ、スマートフォン、タブレット端末、ウエアブル機器）には、他の機器から出力される電波の強度を測定し、その測定結果とＳＳＩＤとを機器毎に表示する機能（例えば、ＳＳＩＤとともに、電波強度レベルを５段階で表示）を備えるものが存在する。このように取得された機器毎のＳＳＩＤに基づいて、各機器の機種（または、名称、メーカー名、型番）を取得することができる。例えば、ＳＳＩＤ（例えば、機器名、ユーザによって設定された名称）に基づいて各機器の機種を特定することが可能な情報（例えば、機器名及び機種を紐付ける情報）を記憶部１３０に記憶しておく。そして、制御部１２０は、取得したＳＳＩＤ（例えば、機器名、ユーザによって設定された名称）に基づいて、そのＳＳＩＤに対応する機器の機種を特定することができる。
【００７０】
また、例えば、無線ＬＡＮ（例えば、Ｗｉ−Ｆｉ）によりやりとりされる情報（例えば、ＭＡＣ（Media Access Control）フレーム）には、送信元アドレス（例えば、送信元のＭＡＣアドレス）及び送信先（宛先）アドレス（例えば、送信先（宛先）のＭＡＣアドレス）が含まれる。なお、ＭＡＣアドレスは、メーカーコード、製品番号、装置固有の値により構成される。このため、例えば、送信元のＭＡＣアドレスに基づいて、送信元の機器のメーカー、機種に関する情報を取得することができる。
【００７１】
また、機器の機種については、図９に示す「スマートフォン」、「携帯（携帯電話）」、「タブレット端末」、「ＡＩ（Artificial Intelligence）スピーカ」、「ＰＣ（パーソナルコンピュータ）」以外に、例えば、無線ＬＡＮルーター、ターミナルアダプタ、ゲーム機器、各種の家電、各種のＡＶ機器、フェムトセルなどを使用することができる。なお、機器の種別については、上述したような各機器の種別を全て使用してもよく、何らかの規則に基づいて分類して使用するようにしてもよい。例えば、携帯型の機器（例えば、スマートフォン、タブレット端末、ゲーム機器）、据え置き型の機器（例えば、ターミナルアダプタ、ＡＩスピーカ、パーソナルコンピュータ、各種の家電、各種のＡＶ機器、フェムトセル）に分類することができる。そして、機器の機種として、「携帯型の機器」、「据え置き型の機器」を使用することができる。
【００７２】
また、機器の機種については、受信した電波から特定可能な機器のみを把握すればよく、種別を特定することができない機器については、例えば、「その他」などのカテゴリーに分類して使用することができる。
【００７３】
なお、第２の実施の形態では、受信した電波に基づいて特定が可能な機器の種別を用いて提供情報を決定する例を示すが、受信した電波に基づいて特定が可能な他の情報を用いて提供情報を決定するようにしてもよい。例えば、受信した電波に基づいて、他の機器の名称、メーカー名（例えば、製造会社、販売会社）、型番などを特定することができる場合には、その各情報を使用することができる。また、例えば、受信した電波に基づいて、他の機器に関する複数の情報（例えば、名称、メーカー名（例えば、製造会社、販売会社）、型番などのうちの２以上）を特定することができる場合には、その各情報の組み合わせを使用することができる。
【００７４】
また、Ｍの値については、電波強度順位の数と、機器の機種の数とに基づいて決定される。例えば、電波強度順位の数が３であり、機器の機種の数が２（例えば、携帯型の機器、その他、機器が存在しない場合には０）の場合には、１３に決定される。ただし、電波強度順位の数と、機器の機種の数とによっては、Ｍの値が大きくなりすぎ、提供情報（例えば、図４に示す音声情報１１及び画像情報１２）を用意できないことも想定される。このため、Ｍの値が、提供情報（例えば、図４に示す音声情報１１及び画像情報１２）の数よりも多い場合には、同一の情報（音声情報１１及び画像情報１２）を、異なる情報（提供情報ＯＩ）に割り当てるようにしてもよい。
【００７５】
［他の機器の種別を用いて提供情報を決定する例］
図１０、図１１は、第２の実施の形態における電子機器１００が電波を受信した他の機器の種別を用いて提供情報を決定する場合の例を示す図である。なお、図１０、図１１に示す例では、電子機器１０１〜１０６から出力される電波の強度は、図５、図６に示す例と同様であるものとする。
【００７６】
図１０（１）には、電子機器１００が電子機器１０１〜１０６から受信した電波の強度及び各機器の機種を電子機器１０１〜１０６の順序で並べて示す。なお、図１０（１）に示す各情報のうち、最下段の「機種」以外の情報については、図５（１）に示す例と同様である。また、機器の機種を表す最下段の「機種」については、説明を容易にするため、各機器を表す文字により簡易的に示す。
【００７７】
例えば、電子機器１０１〜１０３の機種は「スマートフォン」であり、電子機器１０４の機種は「タブレット端末」であり、電子機器１０５の機種は「ＡＩスピーカ」であり、電子機器１０６の機種は「ＰＣ（パーソナルコンピュータ）」である。なお、電子機器１０１〜１０６の電波強度は図５（１）に示す例と同様である。
【００７８】
図１０（２）には、図１０（１）に示す「電波強度順位」の順序で並べた場合の電子機器１０１〜１０６の電波強度、機器の機種を示す。なお、図１０（２）に示す各情報のうち、最下段の「機種」以外の情報については、図５（２）に示す例と同様である。また、これ以降では、電子機器１０１〜１０６を識別する情報を使用しないため、電子機器１０１〜１０６を識別する符号等を省略して示す。なお、電波強度が同一である機器が複数存在する場合には、所定規則（例えば、電波を受信したタイミングが早い順、電波強度の変化が少ない順）に基づいて、各機器の順位を決定することができる。図１０に示す例では、電子機器１０１、１０５の電波強度が同一であるため、電子機器１０１を４位とし、電子機器１０５を５位とする。
【００７９】
図１０（３）には、図１０（２）に示す「電波強度順位」の順序で並べた場合の各機器の機種（スマートフォン、スマートフォン、タブレット端末、スマートフォン、ＡＩスピーカ、ＰＣ）と一致する機種を図９に示す判定情報から抽出する場合の抽出例を示す。なお、図１０（３）に示す判定情報は、図９に示す判定情報と同一であり、図１０（３）では、図９に示す判定情報のうちの一部を省略して示す。また、図１０（３）では、図９に示す判定情報のうち、図１０（２）に示す「電波強度順位」の順序で並べた場合の各機器の機種（スマートフォン、スマートフォン、タブレット端末、スマートフォン、ＡＩスピーカ、ＰＣ）と一致する各機器の並びを、破線の矩形１５内に示す。
【００８０】
ここで、電子機器１００が、図６に示す音声情報１１及び画像情報１２（破線の矩形１４内）を決定するまでの各処理について説明する。最初に、電子機器１００の制御部１２０は、通信部１１０により受信された他の機器からの電波の強度（電波強度）を測定する。例えば、図１０（１）に示すように、他の機器からの電波強度の測定結果（電波強度レベル）を５段階で把握することができる。また、電子機器１００の制御部１２０は、受信した電波に含まれる情報に基づいて、その電波を送信した機器の種別を取得する。そして、電子機器１００の制御部１２０は、その電波強度レベル（５段階）と機器の種別とを機器毎に保持する。次に、電子機器１００の制御部１２０は、複数の機器について電波強度レベル（５段階）の順位を決定する。
【００８１】
次に、電子機器１００の制御部１２０は、各機器の種別と、各電波強度の順位との関係に基づいて、提供情報ＯＩを決定する。例えば、電子機器１０１〜１０６の電波強度及び種別が、図１０（１）（２）に示す電波強度レベル及び種別である場合には、電波強度レベルの順番に並べた機種の種別（スマートフォン、スマートフォン、タブレット端末、スマートフォン、ＡＩスピーカ、ＰＣ）と一致する機器の種別（図１０（３）に示す破線の矩形１５内）を、図１０（３）に示す判定情報から抽出し、提供情報ＯＩをＯＩＹ１と決定する。そして、電子機器１００の制御部１２０は、提供情報ＯＩとして決定されたＯＩＹ１に関連付けられている音声情報１１及び画像情報１２（図１１に示す破線の矩形１６内）を出力する。
【００８２】
例えば、電子機器１００の制御部１２０は、提供情報ＯＩとして決定されたＯＩＹ１に関連付けて記憶部１３０に記憶されている音声情報１１に基づいて、音声出力部１６０から音声を出力させる。また、電子機器１００の制御部１２０は、提供情報ＯＩとして決定されたＯＩＹ１に関連付けて記憶部１３０に記憶されている画像情報１２に基づいて、表示部１５０に表示させる。この提供例については、図１２に示す。
【００８３】
［電子機器からコンテンツを出力する例］
図１２は、第２の実施の形態における電子機器１００から提供情報（コンテンツ）を出力する場合の例を簡略化して示す図である。なお、図１２に示す例は、図１０、図１１に示す例により決定された提供情報（コンテンツ）を出力する例を示す。
【００８４】
上述したように、電子機器１００の制御部１２０は、ＯＩＹ１に関連付けられている音声情報１１（図１１に示す破線の矩形１６内）に基づいて、「夏のスイカのような開放感」の音声を音声出力部１６０から出力させる。また、電子機器１００の制御部１２０は、ＯＩＹ１に関連付けられている画像情報１２（図１１に示す破線の矩形１６内）に基づいて、スイカの画像を表示部１５０に表示させる。
【００８５】
このように、受信した電波に基づいて特定が可能な機器の種別を用いて提供情報を決定することができる。これにより、電子機器１００を所持するユーザＰ０は、電子機器１００とその周囲に存在する他の機器との関係に基づいて決定されるコンテンツの出力を楽しむことができる。また、コンテンツの決定には、周囲に存在する機器の種別を用いるため、電子機器１００の周囲の機器の位置関係が同一の環境であっても、異なるコンテンツが出力される可能性があるため、周りの機器の機種に応じたコンテンツの出力を楽しむことができる。例えば、意外な機器が存在する場所にユーザＰ０が移動したり、意外な機器を所持するユーザが近づいたりした場合には、意外なるコンテンツが出力される可能性があり、意外性のあるコンテンツの出力を楽しむことができる。また、他の機器から受信する電波の強度と機器の機種のみを使用し、他の機器やその使用者を識別する情報を用いないため、他の機器を所持するユーザの個人情報などを用いる必要がない。このため、第２の実施の形態で示すサービスを利用し易くすることができる。
【００８６】
［機器の種別を用いて情報を提供する動作例］
第２の実施の形態における電子機器１００による情報提供出力処理は、図８に示す情報提供出力処理に対応する。そこで、ここでは、図８を参照して、第２の実施の形態における電子機器１００による情報提供出力処理の一例について説明する。
【００８７】
最初に、電子機器１００の制御部１２０は、通信部１１０により受信された電波を測定して各電波情報（例えば、電波強度、機器の種別）を取得する（ステップＳ２０１）。そして、電子機器１００の制御部１２０は、取得した電波情報を機器毎に記憶部１３０に保持させる（ステップＳ２０２）。この電波情報の取得処理は、定期的に行うようにしてもよく、不定期に行うようにしてもよい。
【００８８】
次に、電子機器１００の制御部１２０は、提供条件を満たすか否かを判断する（ステップＳ２０３）。そして、提供条件を満していない場合には、ステップＳ２０１に戻り、提供条件を満たす場合には、ステップＳ２０４に進む。なお、提供条件を満たすか否かを判断する判断基準は、図８に示す例と同様とすることができる。
【００８９】
提供条件を満たす場合には（ステップＳ２０３）、電子機器１００の制御部１２０は、記憶部１３０に保持されている電波情報に基づいて、提供対象となる情報を決定する（ステップＳ２０４）。例えば、電子機器１００の制御部１２０は、記憶部１３０に保持されている各機器の電波強度と種別とに基づいて、提供対象となるコンテンツを決定する（ステップＳ２０４）。具体的には、例えば、電子機器１００の制御部１２０は、各電波強度の順位と、各機器の種別との関係に基づいて、提供情報ＯＩを決定する。例えば、電子機器１０１〜１０６の電波強度が、図１０（１）（２）に示す電波強度レベルであり、電子機器１０１〜１０６の機種が、図１０（１）（２）に示す機種である場合には、電波強度の順位に並べた機種（スマートフォン、スマートフォン、タブレット端末、スマートフォン、ＡＩスピーカ、ＰＣ）と一致する機種群（図１０（３）に示す破線の矩形１５内）を、図１０（３）に示す情報から抽出し、提供情報ＯＩをＯＩＹ１と決定する。
【００９０】
次に、電子機器１００の制御部１２０は、提供対象として決定した情報を提供する（ステップＳ２０５）。例えば、電子機器１００の制御部１２０は、提供対象として決定したコンテンツを出力させる（ステップＳ２０５）。例えば、図１２に示すように、電子機器１００の制御部１２０は、提供情報ＯＩとして決定されたＯＩＹ１に関連付けられている音声情報１１及び画像情報１２（図１１に示す破線の矩形１６内）を出力する。
【００９１】
［特定の場所に特定機器を設置してその場所に関連する情報を提供する例］
上述した技術を適用して、例えば、観光地や店などの場所において、その場所に関連する情報（例えば、コンテンツ、優遇）を提供することが考えられる。そこで、以下では、特定の場所において、その場所に関連する情報を提供する例を示す。
【００９２】
［山に特定機器を設置してその山に関連する情報を提供する例］
図１３は、第２の実施の形態における電子機器３０１〜３０５を山に設置した場合を簡略化して示す図である。電子機器（Ａ山機器）３０１は、Ａ山に設置される電子機器であり、電子機器（Ｂ山機器）３０２は、Ｂ山に設置される電子機器であり、電子機器（Ｃ山機器）３０３は、Ｃ山に設置される電子機器であり、電子機器（Ｄ山機器）３０４は、Ｄ山に設置される電子機器であり、電子機器（Ｅ山機器）３０５は、Ｅ山に設置される電子機器である。
【００９３】
電子機器３０１〜３０５は、所定の電波（例えば、ビーコン）を送信する機器（特定機器）である。例えば、電子機器３０１〜３０５は、山頂付近のみに電波を供給することができる程度の機器でよいため、消費電力が少ない電子機器（例えば、ＢＬＥ（Bluetooth（登録商標） Low Energy））とすることができる。
【００９４】
［山に設置されている機器から出力される電波を用いてその山に関連する情報を提供するための判定情報と提供情報の例］
図１４、図１５は、第２の実施の形態における電子機器１００により提供情報を決定する場合に用いられる各種情報の一例を示す図である。これらの各情報は、記憶部１３０に記憶される。また、これらの各情報は、登山が趣味のユーザによる手動操作により取得されるようにしてもよい。
【００９５】
図１４では、電子機器１００における電波状況と他の機器の種別とに基づいて提供情報を決定する場合に用いる判定情報（テーブル）の一例を示す。なお、図１４に示す判定情報は、図９に示す判定情報において、図１３に示す電子機器３０１〜３０５の種別を追加したものであり、他の部分については、図９に示す判定情報と同様である。また、図１４では、電子機器３０１〜３０５の種別のうち、電子機器（Ａ山機器）３０１の種別に関する一部のみを簡略化して示し、他の種別についての図示を省略する。
【００９６】
例えば、ユーザＰ０が１人でＡ山に登っているような場合には、電子機器１００が電子機器（Ａ山機器）３０１からの電波のみを受信することが想定される。この場合には、電子機器１００が電子機器（Ａ山機器）３０１からの電波のみを受信しているため、提供情報ＯＩとしてＯＩＡ１が決定される。また、例えば、ユーザＰ０が１人でＡ山に登っているが、既に他の人物がＡ山の山頂付近にいるような場合には、電子機器１００が電子機器（Ａ山機器）３０１からの電波とともに、Ａ山の山頂付近にいる人物が所持する機器からの電波を受信することが想定される。この場合に、例えば、電子機器（Ａ山機器）３０１からの電波の強度よりも、Ａ山の山頂付近にいる人物が所持する機器からの電波の強度が強い場合には、提供情報ＯＩとしてＯＩＡＢ１が決定される。この例を図１６に示す。
【００９７】
図１５には、図１４に示す判定情報を用いて決定された提供情報ＯＩと、提供情報（音声情報１１及び画像情報１２）との対応関係の一例を示す。例えば、提供情報ＯＩとしてＯＩＡ１、ＯＩＡＢ１、ＯＩＡＣ１、ＯＩＡＤ１などが決定された場合には、Ａ山に関する情報（音声情報１１、画像情報１２）が提供対象となる。Ａ山に関する情報は、例えば、「お疲れさまでした。Ａ山の山頂です。」などの音声を出力するための情報（音声情報１１）や、Ａ山に関する画像（例えば、Ａ山を擬人化したキャラクタ、Ａ山が存在する地域の特産物、Ａ山を含む写真）を表示するための情報（画像情報１２）である。なお、図１５では、説明を容易にするため、音声出力の対象となる文字、表示対象となる画像の一部を簡易的に示す。例えば、図１７に示すように、複数の表示画面、複数の音声情報を連続して出力するための情報を提供情報としてもよい。また、図１５では、提供情報として、音声情報１１及び画像情報１２を例にして説明するが、音声情報１１及び画像情報１２のうちの一方を提供情報としてもよい。また、音声情報や画像情報以外の情報（例えば、匂い情報、味覚情報、触覚情報）を提供情報としてもよい。また、ユーザに対して何らかの優遇を与える情報（例えば、クーポン、優待、ポイント）を提供情報としてもよい。なお、これらの提供例については、図１７を参照して説明する。
【００９８】
［山に設置されている機器の種別を用いて提供情報を決定する例］
図１６は、第２の実施の形態における電子機器１００が電波を受信した他の機器の種別を用いて提供情報を決定する場合の例を示す図である。なお、図１６（２）に示す判定情報は、図１４に示す判定情報に対応し、図１６（３）に示す提供情報は、図１５に示す提供情報に対応する。
【００９９】
図１６（１）には、Ａ山の山頂付近にユーザＰ７が存在する場合において、ユーザＰ０が１人でＡ山に登っている状態を示す。なお、図１６（１）では、説明の容易のため、ユーザＰ０、Ｐ７が電子機器１００、３０９を手に持っている状態を示すが、山での安全性を考慮して各電子機器を所持することが望ましい。
【０１００】
図１６（１）では、Ａ山の山頂付近にユーザＰ７が存在し、かつ、ユーザＰ７が所持する電子機器３０９が電子機器（Ａ山機器）３０１よりも電子機器１００側に存在する例を示す。なお、電子機器３０９は、スマートフォンであるものとする。このような場合には、電子機器１００が電子機器（Ａ山機器）３０１からの電波とともに、Ａ山の山頂付近にいるユーザＰ７が所持する電子機器３０９からの電波を受信することが想定される。また、電子機器３０９が電子機器（Ａ山機器）３０１よりも電子機器１００側に存在するため、電子機器（Ａ山機器）３０１からの電波の強度よりも、電子機器３０９からの電波の強度が強くなることが想定される。この場合には、図１６（２）に示すように、提供情報ＯＩとしてＯＩＡＢ１（破線の矩形１７内）が決定される。そして、電子機器１００の制御部１２０は、提供情報ＯＩとして決定されたＯＩＡＢ１に関連付けられている音声情報１１及び画像情報１２（図１６（３）に示す破線の矩形１８内）を提供する。この提供例を、図１７に示す。
【０１０１】
［電子機器において情報を提供する例］
図１７は、第２の実施の形態における電子機器１００からコンテンツを出力する場合の例を簡略化して示す図である。なお、図１７に示す例は、図１６に示す例により決定されたコンテンツを出力する例を示す。
【０１０２】
ここで、山登りをしているときには、安全性を考慮して、登山者は自己が所持する電子機器（例えば、スマートフォン）を常時見ることは少ないと考えられる。そこで、図１７に示すように、複数の段階に分けてコンテンツを提供するようにしてもよい。
【０１０３】
図１７（１）には、電子機器１００が電子機器（Ａ山機器）３０１からの電波を受信してから提供条件を満たすタイミングで出力されるコンテンツ（表示画面及び音声情報）の一例を示す。
【０１０４】
ここで、提供条件を満たすか否かを判断する判断基準として、例えば、電子機器１００が電子機器（Ａ山機器）３０１からの電波を受信してから所定時間が経過したか否か、所望のコンテンツが提供対象として決定されたか否か、所定のユーザ操作（例えば、画面表示操作）が行われたか否か、姿勢の変化が検出されたか否か（例えば、ユーザが電子機器を取り出す際の振動や加速度の検出）を用いることができる。なお、所定時間は、予め設定されている時間とするようにしてもよく、ユーザ操作によりユーザの好みに応じた時間を設定するようにしてもよい。
【０１０５】
図１７（１）に示すように、電子機器１００の制御部１２０は、ＯＩＡＢ１に関連付けられている音声情報１１（図示を省略）に基づいて、「Ａ山の登頂記念のお宝を発見しました。拾いますか？」の音声を音声出力部１６０から出力させる。また、電子機器１００の制御部１２０は、ＯＩＡＢ１に関連付けられている画像情報１２（図示を省略）に基づいて、「Ａ山の登頂記念のお宝を発見しました。拾いますか？」の文字と、「拾う」ボタン５１と、「戻る」ボタン５２とを表示部１５０に表示させる。
【０１０６】
図１７（１）に示すように、音声情報及び画像情報によりコンテンツを出力することができる旨をユーザＰ０に通知することができる。この通知をユーザＰ０が把握して、ユーザＰ０が「拾う」ボタン５１を押下すると、図１７（２）に示す表示画面が表示される。なお、「戻る」ボタン５２が押下された場合には、元の画面に戻る。例えば、待機画面や再度のコンテンツ決定処理を行うための画面に戻ることができる。
【０１０７】
図１７（２）には、図１７（１）に示す表示画面において、「拾う」ボタン５１が押下された後に出力されるコンテンツ（表示画面及び音声情報）の一例を示す。
【０１０８】
図１７（２）に示すように、電子機器１００の制御部１２０は、ＯＩＡＢ１に関連付けられている音声情報１１（図１６（３）に示す破線の矩形１８内）に基づいて、「お疲れさまでした。Ａ山の山頂です。登頂記念のＡ山麺マンです。」の音声を音声出力部１６０から出力させる。また、電子機器１００の制御部１２０は、ＯＩＡＢ１に関連付けられている画像情報１２（図１６（３）に示す破線の矩形１８内）に基づいて、「お疲れさまでした。Ａ山の山頂です。登頂記念のＡ山麺マンです。」の文字と、Ａ山に関する画像（Ａ山を擬人化したキャラクタＡが、Ａ山が存在する地域の特産物「Ａ山麺」を持つ画像）と、「もっと入手」ボタン５３と、「終了」ボタン５４とを表示部１５０に表示させる。
【０１０９】
図１７（２）に示すコンテンツの出力がされた後に、ユーザＰ０が「もっと入手」ボタン５３を押下すると、図１７（３）に示す表示画面が表示される。なお、「終了」ボタン５４が押下された場合には、コンテンツ出力処理が終了し、通常の表示画面に戻る。
【０１１０】
図１７（３）には、図１７（２）に示す表示画面において、「もっと入手」ボタン５３が押下された後に出力されるコンテンツ（表示画面及び音声情報）の一例を示す。
【０１１１】
図１７（３）に示すように、電子機器１００の制御部１２０は、ＯＩＡＢ１に関連付けられている音声情報１１（図示を省略）に基づいて、「Ａ山名物のＡ山麺の割引券です。」の音声を音声出力部１６０から出力させる。また、電子機器１００の制御部１２０は、ＯＩＡＢ１に関連付けられている画像情報１２（図示を省略）に基づいて、「Ａ山名物のＡ山麺の割引券です。」の文字と、「○○店３割引き」ボタン５５と、「△△店４割引き」ボタン５６と、「保存」ボタン５７と、「終了」ボタン５８とを表示部１５０に表示させる。なお、「○○店３割引き」ボタン５５は、Ａ山が存在する地域の特産物「Ａ山麺」を提供する○○店において優待（３割引き）を受けるための操作を開始するボタンである。また、「△△店４割引き」ボタン５６は、Ａ山が存在する地域の特産物「Ａ山麺」を提供する△△店において優待（４割引き）を受けるための操作を開始するボタンである。
【０１１２】
例えば、「○○店３割引き」ボタン５５と、「△△店４割引き」ボタン５６とのうちの少なくとも１つが押下されると、押下されたボタンが選択状態（例えば、ボタンの色が変化）となる。そして、その選択状態で、「保存」ボタン５７が押下されると、選択状態のボタンに対応する店において優待を受けるための処理が開始される。例えば、○○店３割引きを示す画像や、△△店４割引きを示す画像が保存される。そして、ユーザＰ０は、Ａ山を下山した後に、所望の店に行き、その保存された画像を見せることにより、各優待を受けることができる。また、例えば、選択状態のボタンに対応する店に、その旨の通知が送信されるようにしてもよい。
【０１１３】
このように、ユーザＰ０がＡ山に登った場合には、Ａ山に関連するコンテンツの提供を受けることができる。この場合に、ユーザＰ０がＡ山の山頂に着いたタイミングで、その山頂付近に存在する機器（例えば、図１６（１）に示す電子機器３０９）によって、提供対象となる情報が変わる可能性があるため、意外性のあるコンテンツの出力を楽しむことができる。また、他の登山者も、異なるコンテンツの出力を楽しむことができる。また、複数人で登山をするような場合でも、各人物の位置によっては、人物毎に異なるコンテンツが出力される可能性が高いため、各人物のコンテンツを楽しむことができる。
【０１１４】
［店に特定機器を設置してその店に関連する情報を提供する例］
図１８は、第２の実施の形態における電子機器３１１〜３１５を店に設置した場合を簡略化して示す図である。電子機器（Ａ店機器）３１１は、Ａ店に設置される電子機器であり、電子機器（Ｂ店機器）３１２は、Ｂ店に設置される電子機器であり、電子機器（Ｃ店機器）３１３は、Ｃ店に設置される電子機器であり、電子機器（Ｄ店機器）３１４は、Ｄ店に設置される電子機器であり、電子機器（Ｅ店機器）３１５は、Ｅ店に設置される電子機器である。
【０１１５】
電子機器３１１〜３１５は、所定の電波（例えば、ビーコン）を送信する機器（特定機器）である。例えば、電子機器３１１〜３１５は、店内（または、店の周囲）のみに電波を供給することができる程度の機器でよいため、消費電力が少ない電子機器（例えば、ＢＬＥ）とすることができる。
【０１１６】
［店に設置されている機器から出力される電波を用いてその店に関連する情報を提供するための判定情報と提供情報の例］
図１９、図２０は、第２の実施の形態における電子機器１００により提供情報を決定する場合に用いられる各種情報の一例を示す図である。これらの各情報は、記憶部１３０に記憶される。また、これらの各情報は、食べ歩きが趣味のユーザによる手動操作により取得されるようにしてもよい。
【０１１７】
図１９では、電子機器１００における電波状況と他の機器の種別とに基づいて提供情報を決定する場合に用いる判定情報（テーブル）の一例を示す。なお、図１９に示す判定情報は、図９に示す判定情報において、図１８に示す電子機器３１１〜３１５の種別を追加したものであり、他の部分については、図９に示す判定情報と同様である。また、図１９では、電子機器３１１〜３１５の種別のうち、電子機器（Ａ店機器）３１１の種別に関する一部のみを簡略化して示し、他の種別についての図示を省略する。
【０１１８】
例えば、ユーザＰ０が１人でＡ店にいるような場合には、電子機器１００が電子機器（Ａ店機器）３１１からの電波のみを受信することが想定される。この場合には、電子機器１００が電子機器（Ａ店機器）３１１からの電波のみを受信しているため、提供情報ＯＩとしてＯＩＡＡ１が決定される。また、例えば、ユーザＰ０と、他の人物がＡ店にいるような場合には、電子機器１００が電子機器（Ａ店機器）３１１からの電波とともに、Ａ店にいる他の人物が所持する機器からの電波を受信することが想定される。この場合に、例えば、電子機器（Ａ店機器）３１１からの電波の強度よりも、Ａ店にいる他の人物が所持する機器からの電波の強度が強い場合には、提供情報ＯＩとしてＯＩＡＡＢ１が決定される。
【０１１９】
図２０には、図１９に示す判定情報を用いて決定された提供情報ＯＩと、提供情報（音声情報１１及び画像情報１２）との対応関係の一例を示す。例えば、提供情報ＯＩとしてＯＩＡＡ１、ＯＩＡＡＢ１、ＯＩＡＡＣ１、ＯＩＡＡＤ１などが決定された場合には、Ａ店に関する情報（音声情報１１、画像情報１２）が提供対象となる。
【０１２０】
ここで、Ａ店が飲食店である場合を想定する。この場合に、Ａ店に関する情報は、例えば、「いらっしゃいませ。」などの音声を出力するための情報（音声情報１１）や、Ａ店に関する画像（例えば、Ａ店を擬人化したキャラクタ、Ａ店が提供する飲食物の優待（例えば、割引、サービス品、ポイント）を表示するための情報）（画像情報１２）である。なお、図２０では、説明を容易にするため、音声出力の対象となる文字、表示対象となる画像の一部を簡易的に示す。例えば、図２２に示すように、複数の表示画面、複数の音声情報を連続して出力するための情報を提供情報としてもよい。また、図２０では、提供情報として、音声情報１１及び画像情報１２を例にして説明するが、音声情報１１及び画像情報１２のうちの一方を提供情報としてもよい。また、音声情報や画像情報以外の情報（例えば、匂い情報、味覚情報、触覚情報）を提供情報としてもよい。また、ユーザに対して何らかの優遇を与える情報（例えば、クーポン、優待、ポイント）を提供情報としてもよい。なお、これらの提供例については、図２２を参照して説明する。
【０１２１】
［店に設置されている機器の種別を用いて提供情報を決定する例］
図２１は、第２の実施の形態における電子機器１００が電波を受信した他の機器の種別を用いて提供情報を決定する場合の例を示す図である。なお、図２１（２）に示す判定情報は、図１９に示す判定情報に対応し、図２１（３）に示す情報は、図２０に示す提供情報に対応する。
【０１２２】
図２１（１）には、Ａ店の店内にユーザＰ０、Ｐ８、Ｐ９が存在する状態を示す。なお、図２１（１）では、説明の容易のため、ユーザＰ０、Ｐ８、Ｐ９が電子機器１００、３２１、３２２を手に持っている状態を示すが、飲食店での飲食中のことを考慮して各電子機器を所持することが望ましい。
【０１２３】
図２１（１）では、Ａ店の店内にユーザＰ０、Ｐ８、Ｐ９が存在し、かつ、ユーザＰ０が所持する電子機器１００と電子機器（Ａ店機器）３１１との間に、ユーザＰ８が所持する電子機器３２１と、ユーザＰ９が所持する電子機器３２２とが存在する例を示す。なお、電子機器３２１、３２２は、スマートフォンであるものとする。このような場合には、電子機器１００が電子機器（Ａ店機器）３１１からの電波とともに、Ａ店の店内にいるユーザＰ８、Ｐ９が所持する電子機器３２１、３２２からの電波を受信することが想定される。また、電子機器１００と電子機器（Ａ店機器）３１１との間に、電子機器３２１及び電子機器３２２が存在するため、電子機器（Ａ店機器）３１１からの電波の強度よりも、電子機器３２１、３２２からの電波の強度が強くなることが想定される。この場合には、図２１（２）に示すように、提供情報ＯＩとしてＯＩＡＡＣ１（破線の矩形１９内）が決定される。そして、電子機器１００の制御部１２０は、提供情報ＯＩとして決定されたＯＩＡＡＣ１に関連付けられている音声情報１１及び画像情報１２（図２１（３）に示す破線の矩形２０内）を出力する。この提供例を、図２２に示す。
【０１２４】
［電子機器からコンテンツを出力する例］
図２２は、第２の実施の形態における電子機器１００からコンテンツを出力する場合の例を簡略化して示す図である。なお、図２２に示す例は、図２１に示す例により決定されたコンテンツを出力する例を示す。
【０１２５】
ここで、飲食店に入る前には、自己の嗜好、予算、店のメニューなどを考慮して、入るか否かを決めることが多い。また、飲食店に入った後も同様に、自己の嗜好、予算、店のメニューなどを考慮して、どのメニューを注文するかを決めることが多い。そこで、各ユーザの好みに合うように、図２２に示すように、複数の段階に分けてコンテンツを提供するようにしてもよい。
【０１２６】
図２２（１）には、電子機器１００が電子機器（Ａ店機器）３１１からの電波を受信してから提供条件を満たすタイミングで出力されるコンテンツ（表示画面及び音声情報）の一例を示す。
【０１２７】
ここで、提供条件を満たすか否かを判断する判断基準として、例えば、電子機器１００が電子機器（Ａ店機器）３１１からの電波を受信してから所定時間が経過したか否か、所望のコンテンツが提供対象として決定されたか否か、所定のユーザ操作（例えば、画面表示操作）が行われたか否か、姿勢の変化が検出されたか否か（例えば、ユーザが電子機器１００を取り出す際の振動や加速度の検出）を用いることができる。なお、所定時間は、予め設定されている時間とするようにしてもよく、ユーザ操作によりユーザの好みに応じた時間を設定するようにしてもよい。
【０１２８】
図２２（１）に示すように、電子機器１００の制御部１２０は、ＯＩＡＡＣ１に関連付けられている音声情報１１（図示を省略）に基づいて、「いらっしゃいませ。本日の優待準備ができました。」の音声を音声出力部１６０から出力させる。また、電子機器１００の制御部１２０は、ＯＩＡＡＣ１に関連付けられている画像情報１２（図示を省略）に基づいて、「いらっしゃいませ。本日の優待準備ができました。」の文字と、「優待出力」ボタン６１と、「戻る」ボタン６２とを表示部１５０に表示させる。
【０１２９】
図２２（１）に示すように、音声情報及び画像情報により優待（コンテンツ）を出力することができる旨をユーザＰ０に通知することができる。この通知をユーザＰ０が把握して、ユーザＰ０が「優待出力」ボタン６１を押下すると、図２２（２）に示す表示画面が表示される。なお、「戻る」ボタン６２が押下された場合には、元の画面に戻る。例えば、待機画面や再度の優待決定処理を行うための画面に戻ることができる。
【０１３０】
図２２（２）には、図２２（１）に示す表示画面において、「優待出力」ボタン６１が押下された後に出力されるコンテンツ（表示画面及び音声情報）の一例を示す。
【０１３１】
図２２（２）に示すように、電子機器１００の制御部１２０は、ＯＩＡＡＣ１に関連付けられている音声情報１１（図２１（３）に示す破線の矩形２０内）に基づいて、「いらっしゃいませ。本日はシラス丼が半額です。」の音声を音声出力部１６０から出力させる。また、電子機器１００の制御部１２０は、ＯＩＡＡＣ１に関連付けられている画像情報１２（図２１（３）に示す破線の矩形２０内）に基づいて、「いらっしゃいませ。本日はシラス丼が半額です。」の文字と、Ａ店に関する画像やＡ店のメニュー（シラスを示す画像）と、「もっと優待」ボタン６３と、「終了」ボタン６４とを表示部１５０に表示させる。
【０１３２】
図２２（２）に示すコンテンツの出力がされた後に、ユーザＰ０が「もっと優待」ボタン６３を押下すると、図２２（３）に示す表示画面が表示される。なお、「終了」ボタン６４が押下された場合には、コンテンツ出力処理が終了し、通常の表示画面に戻る。
【０１３３】
図２２（３）には、図２２（２）に示す表示画面において、「もっと優待」ボタン６３が押下された後に出力されるコンテンツ（表示画面及び音声情報）の一例を示す。
【０１３４】
図２２（３）に示すように、電子機器１００の制御部１２０は、ＯＩＡＡＣ１に関連付けられている音声情報１１（図示を省略）に基づいて、「Ａ店名物の割引券です。」の音声を音声出力部１６０から出力させる。また、電子機器１００の制御部１２０は、ＯＩＡＡＣ１に関連付けられている画像情報１２（図示を省略）に基づいて、「Ａ店名物の割引券です。」の文字と、「セロリ漬け３割引き」ボタン６５と、「エビカレー３割引き」ボタン６６と、「保存」ボタン６７と、「終了」ボタン６８とを表示部１５０に表示させる。なお、「セロリ漬け３割引き」ボタン６５は、Ａ店が提供する飲食物「セロリ漬け」について優待（３割引き）を受けるための操作を開始するボタンである。また、「エビカレー３割引き」ボタン６６は、Ａ店が提供する飲食物「エビカレー」について優待（３割引き）を受けるための操作を開始するボタンである。
【０１３５】
例えば、「セロリ漬け３割引き」ボタン６５と、「エビカレー３割引き」ボタン６６とのうちの少なくとも１つが押下されると、押下されたボタンが選択状態（例えば、ボタンの色が変化）となる。そして、その選択状態で、「保存」ボタン６７が押下されると、選択状態のボタンに対応する飲食物について優待を受けるための処理が開始される。例えば、セロリ漬け３割引きを示す画像や、エビカレー３割引きを示す画像が保存される。そして、ユーザＰ０は、後日、Ａ店に行き、その保存された画像を見せることにより、各優待を受けることができる。また、その場で各優待を受けることができるようにしてもよい。なお、「もっと優待」ボタン６３の押下後に表示されるボタン（例えば、「セロリ漬け３割引き」ボタン６５、「エビカレー３割引き」ボタン６６）については、「もっと優待」ボタン６３とともに表示されているコンテンツ（例えば、シラス丼に関するコンテンツ）に関連するもの（例えば、シラス丼とともに食べたい食材）でもよく、そのコンテンツとは無関係のもの（例えば、本日のおすすめ品）でもよい。また、「もっと優待」ボタン６３の押下後に表示されるボタン（例えば、「セロリ漬け３割引き」ボタン６５、「エビカレー３割引き」ボタン６６）を表示させる情報についても提供情報として記憶されている。
【０１３６】
このように、ユーザＰ０がＡ店に入った場合には、Ａ店に関連するコンテンツの提供を受けることができる。この場合に、ユーザＰ０がＡ店に入る前（または、入った直後）のタイミングで、そのＡ店に存在する機器（例えば、図２１（１）に示す電子機器３２１、３２２）によって、提供対象となる情報が変わる可能性があるため、意外性のあるコンテンツの出力を楽しむことができる。また、複数人でＡ店に入るような場合でも、各人物の位置によっては、人物毎に異なるコンテンツが出力される可能性が高いため、各人物のコンテンツを楽しむことができる。
【０１３７】
なお、図１７、図２２では、３段階でコンテンツを出力する例を示したが、１または２段階でコンテンツを出力するようにしてもよく、４段階以上でコンテンツを出力するようにしてもよい。また、図１７（３）、図２２（３）では、選択対象となるボタンが２の場合を例にして説明したが、選択対象となるボタンの数はこれに限定されず、１でもよく、３以上でもよい。
【０１３８】
このように、電子機器１００（制御部１２０）は、周囲に存在する機器（例えば、電子機器１０１〜１０６、３０１、３０９、３１１、３２１、３２２）から出力される電波（自機器宛ではない電波を含む１または複数の電波）に基づいて、複数のコンテンツのうちからユーザに提供する少なくとも１つのコンテンツを決定することができる。具体的には、電子機器１００（制御部１２０）は、周囲に存在する機器（例えば、電子機器１０１〜１０６、３０１、３０９、３１１、３２１、３２２）から出力される電波（自機器宛ではない電波を含む１または複数の電波）に基づいて特定可能な各機器に関する情報（周囲に存在する機器に関する情報（例えば、機器の種別、機器のメーカー、機器の型番、機器の固有情報、機器に付与された名称のうちの少なくとも１つ））に基づいて、複数のコンテンツのうちからユーザに提供する少なくとも１つのコンテンツを決定することができる。さらに、具体的には、電子機器１００（制御部１２０）は、電子機器１００が受信した電波の数と当該電波を出力した機器に関する情報（例えば、機器の種別、機器のメーカー、機器の型番、機器の固有情報、機器に付与された名称のうちの少なくとも１つ）との関係（例えば、各機器の種別を電波強度順に並べた場合の複数のパターン（例えば、図９、図１４、図１９に示す判定情報の機器の種別パターン））に基づいて、複数のコンテンツのうちからユーザに提供する少なくとも１つのコンテンツを決定することができる。
【０１３９】
また、電子機器１００（制御部１２０）は、周囲に存在する機器（例えば、電子機器１０１〜１０６、３０１、３０９、３１１、３２１、３２２）から出力される電波（自機器宛ではない電波を含む１または複数の電波）に基づいて、当該電波に基づく無線通信に関する処理及び当該電波に基づく無線通信を利用した処理とは異なる複数の処理（例えば、提供情報ＯＩ１〜ＯＩＭに対応するコンテンツの出力処理）のうちから少なくとも１つの処理（例えば、提供情報ＯＩＸ１に対応するコンテンツの出力処理）を選択して実行することができる。具体的には、電子機器１００（制御部１２０）は、周囲に存在する機器（例えば、電子機器１０１〜１０６、３０１、３０９、３１１、３２１、３２２）から出力される電波（自機器宛ではない電波を含む１または複数の電波）に基づいて特定可能な各機器に関する情報（周囲に存在する機器に関する情報（例えば、機器の種別、機器のメーカー、機器の型番、機器の固有情報、機器に付与された名称のうちの少なくとも１つ））に基づいて、当該電波に基づく無線通信に関する処理及び当該電波に基づく無線通信を利用した処理とは異なる複数の処理のうちから少なくとも１つの処理を選択して実行することができる。さらに、具体的には、電子機器１００（制御部１２０）は、電子機器１００が受信した電波の数と当該電波を出力した機器に関する情報（例えば、機器の種別、機器のメーカー、機器の型番、機器の固有情報、機器に付与された名称のうちの少なくとも１つ）との関係（例えば、各機器の種別を電波強度順に並べた場合の複数のパターン（例えば、図９、図１４、図１９に示す判定情報の機器の種別パターン））に基づいて、当該電波に基づく無線通信に関する処理及び当該電波に基づく無線通信を利用した処理とは異なる複数の処理のうちから少なくとも１つの処理を選択して実行することができる。
【０１４０】
［ゲームへの応用例］
上述した技術を適用して、例えば、ゲームを行う場合において、そのゲームに関連する各種情報を提供することが考えられる。そこで、以下では、ゲームを行う場合において、そのゲームに関連する各種情報を提供する例を示す。
【０１４１】
［屋外に設置されている表示装置に表示されるキャラクタの対戦ゲームに関連する情報を提供する例］
図２３は、第２の実施の形態における通信システム４０の構成例を簡略化して示す図である。図２３では、電子機器１００、４０１〜４０７、表示装置４１０間で無線通信を行う例を示す。また、電子機器１００、４０１〜４０４は、ユーザＰ０〜Ｐ４により所持され、電子機器４０５〜４０７、表示装置４１０は、固定して設置されている例を示す。
【０１４２】
電子機器１００、４０１〜４０４は、表示装置４１０の表示部４１１にキャラクタを表示させ、ユーザ操作に基づいて、各キャラクタを制御することが可能な電子機器である。電子機器１００、４０１〜４０４は、例えば、スマートフォン、タブレット端末、ゲーム機器である。また、電子機器１００、４０１〜４０４の機能構成は、図２に示す電子機器１００の機能構成とほぼ同様である。
【０１４３】
また、キャラクタＡは、電子機器１００により制御されるキャラクタであり、キャラクタＢは、電子機器４０１により制御されるキャラクタであり、キャラクタＣは、電子機器４０２により制御されるキャラクタであり、キャラクタＤは、電子機器４０３により制御されるキャラクタであるものとする。なお、電子機器４０４により制御されるキャラクタは、まだ、表示装置４１０の表示部４１１に表示されていないものとする。
【０１４４】
表示装置４１０は、無線通信が可能な通信部（図示せず）と、各部の制御を行う制御部（図示せず）と、表示部４１１とを備える表示装置（情報処理装置、電子機器）である。例えば、表示装置４１０の制御部（図示せず）は、電子機器１００、４０１〜４０４から送信される情報に基づいて、表示部４１１の表示制御を行う。具体的には、表示装置４１０の制御部（図示せず）は、電子機器１００から送信される情報に基づいて、表示部４１１にキャラクタＡを表示させ、電子機器４０１から送信される情報に基づいて、表示部４１１にキャラクタＢを表示させ、電子機器４０２から送信される情報に基づいて、表示部４１１にキャラクタＣを表示させ、電子機器４０３から送信される情報に基づいて、表示部４１１にキャラクタＤを表示させる。また、表示装置４１０の制御部（図示せず）は、電子機器１００から送信される情報に基づいて、表示部４１１におけるキャラクタＡの動作制御を行い、電子機器４０１から送信される情報に基づいて、表示部４１１におけるキャラクタＢの動作制御を行い、電子機器４０２から送信される情報に基づいて、表示部４１１におけるキャラクタＣの動作制御を行い、電子機器４０３から送信される情報に基づいて、表示部４１１におけるキャラクタＤの動作制御を行う。
【０１４５】
また、表示装置４１０の制御部（図示せず）は、電子機器１００、４０１〜４０３から送信される情報に基づいて、表示部４１１におけるキャラクタＡ〜Ｄに各種情報を付加して表示させる。例えば、表示装置４１０の制御部（図示せず）は、電子機器１００から送信される情報に基づいて、表示部４１１におけるキャラクタＡに道具７１を付加して表示させ、電子機器４０１から送信される情報に基づいて、表示部４１１におけるキャラクタＢに道具７２を付加して表示させ、電子機器４０２から送信される情報に基づいて、表示部４１１におけるキャラクタＣに道具７３を付加して表示させ、電子機器４０３から送信される情報に基づいて、表示部４１１におけるキャラクタＤに道具７４を付加して表示させる。
【０１４６】
電子機器４０５〜４０７は、各種の情報を送信する機器である。なお、電子機器１００、４０１〜４０４が取得可能な道具（図２４に示す提供情報４２１）が変化するように、電子機器４０５〜４０７は、強弱の異なる電波を送信するようにしてもよく、電子機器４０５〜４０７のそれぞれの種別が異なるようにしてもよい。
【０１４７】
［対戦ゲームのキャラクタに提供する情報の例］
図２４は、第２の実施の形態における電子機器１００、４０１〜４０４により判定情報を用いて決定された提供情報ＯＩと、提供情報４２１との対応関係の一例を示す図である。なお、提供情報を決定する場合に用いる判定情報（テーブル）は、上述した各判定情報（図３、図９、図１４、図１９）を用いることができる。これらの各情報は、記憶部１３０に記憶される。
【０１４８】
なお、図２４では、提供情報として、各キャラクタが用いる道具を決定する例を示すが、他の情報（例えば、各キャラクタに付与する経験値、属性等）を決定するようにしてもよい。また、複数の情報を提供するようにしてもよい。
【０１４９】
例えば、提供情報ＯＩとしてＯＩＸＹ１が決定された場合には、道具７１（図２３に示すキャラクタＡが所持）が提供対象となる。また、提供情報ＯＩとしてＯＩＹＹ２が決定された場合には、道具７４（図２３に示すキャラクタＤが所持）が提供対象となる。また、提供情報ＯＩとしてＯＩＹＺ１が決定された場合には、道具７２（図２３に示すキャラクタＢが所持）が提供対象となる。また、提供情報ＯＩとしてＯＩＺＺ７が決定された場合には、道具７３（図２３に示すキャラクタＣが所持）が提供対象となる。
【０１５０】
［表示装置に表示されるキャラクタが道具を取得する場合の操作例］
図２５は、第２の実施の形態における電子機器１００を用いて表示装置４１０の表示部４１１に表示されるキャラクタＡに道具７５を追加表示させるための操作例を示す図である。
【０１５１】
図２５（１）には、新たな道具を取得することが可能である旨をユーザに通知するための通知情報を出力する場合の出力例を示す。電子機器１００の表示部１５０には、新たな道具を取得することが可能である旨が表示されるとともに、音声出力部１６０から、新たな道具を取得することが可能である旨が音声出力される。また、電子機器１００の表示部１５０には、操作ボタン群８１及び「取得」ボタン８２が表示される。
【０１５２】
操作ボタン群８１は、表示装置４１０の表示部４１１に表示されるキャラクタＡを操作するためのボタン（○と△で示す）である。例えば、ユーザＰ０が操作ボタン群８１のうちの所望のボタンの押下操作等を行うことにより、表示装置４１０の表示部４１１に表示されるキャラクタＡに所定の動作（例えば、進む、下がる、攻撃、防御）をさせることができる。
【０１５３】
「取得」ボタン８２は、新たな道具を取得可能なタイミングで表示されるボタンである。ユーザＰ０により「取得」ボタン８２が押下されると、図２５（２）に示す表示画面が電子機器１００の表示部１５０に表示される。
【０１５４】
図２５（２）には、新たな道具を取得した旨をユーザに通知するための通知情報を出力する場合の出力例を示す。電子機器１００の表示部１５０には、新たな道具を取得した旨と、新たに取得された道具を示す画像とが表示されるとともに、音声出力部１６０から、新たな道具を取得した旨が音声出力される。また、電子機器１００の表示部１５０には、操作ボタン群８１及び「使用」ボタン８３が表示される。
【０１５５】
「使用」ボタン８３は、「取得」ボタン８２の押下操作により、新たな道具が取得された場合に表示されるボタンである。なお、新たに取得した道具については、すぐに使用するようにしてもよく、所望のタイミング（例えば、ゲームでの実際の使用時）で使用するようにしてもよい。
【０１５６】
ユーザＰ０により「使用」ボタン８３が押下されると、図２５（３）に示すように、表示装置４１０の表示部４１１におけるキャラクタＡに道具７５が追加表示される。すなわち、電子機器１００の制御部１２０は、「使用」ボタン８３の押下操作に基づいて、取得した提供情報（道具７５）に関する情報（表示装置４１０の表示部４１１に道具７５を表示させ、キャラクタＡが使用可能とするための情報）を表示装置４１０に送信する。そして、表示装置４１０の制御部は、電子機器１００から受信した情報に基づいて、表示部４１１におけるキャラクタＡに道具７５を追加表示させる。
【０１５７】
図２５（３）に示すように、表示装置４１０の表示部４１１におけるキャラクタＡに道具７５が追加表示されることにより、キャラクタＡは、道具７１及び道具７５を所持することができ、他のキャラクタとの対戦を有利にすることができる。なお、この例では、外部装置（表示装置４１０）にキャラクタが表示される例を示したが、各電子機器の表示部にキャラクタを表示させて、各電子機器のユーザにより行われるゲームについても同様に適用することができる。
【０１５８】
［物語ゲームに関連する情報を提供する例］
図２６は、第２の実施の形態における電子機器１００の表示部１５０に表示される物語ゲームの一例を簡略化して示す図である。図２６では、ユーザが、電子機器１００の表示部１５０に物語ゲームを表示させ、物語ゲームを行う例を示す。
【０１５９】
ここで、物語ゲームは、所定の目的を達成するため、所定の標識を用いて行うゲームである。例えば、物語ゲームは、各役割を演じるキャラクタ（所定の標識）が、各種の経験（例えば、冒険、探検、対戦）を行いながら、目的地まで進行するゲームである。図２６では、キャラクタＸ（下部分に示す）が○○城（上部分に示す）を目的地として、各種の経験（例えば、他のキャラクタとの対戦、各道の進行）をしながら○○城まで進行するゲームを例にして説明する。なお、図２６では、説明を容易にするため、電子機器１００の表示部１５０の表示画面に物語ゲームの全体を表示する例を示すが、表示部１５０の表示画面よりも広い領域を物語ゲームの領域とするようにしてもよく、複数の画面（例えば、階層構造の画面）を用いて物語ゲームを行うようにしてもよい。このように、物語ゲームは、目的達成ゲーム、キャラクタ進行ゲーム、冒険ゲーム、探検ゲームなどと称することができる。
【０１６０】
電子機器１００の制御部１２０は、記憶部１３０に記憶されているプログラム（例えば、物語ゲームのアプリケーション）に基づいて、表示部１５０に物語ゲームを表示させる。また、電子機器１００の制御部１２０は、ユーザ操作（例えば、操作部１４０におけるユーザ操作、ユーザの音声入力に基づくユーザ操作、電子機器１００の姿勢の変化に基づく操作）に基づいて、キャラクタＸの各種動作を制御する。
【０１６１】
また、電子機器１００の制御部１２０は、他の機器から出力される電波に基づいて、表示部１５０におけるキャラクタＸに各種情報を付加して表示させる。例えば、電子機器１００の制御部１２０は、複数の他の機器から出力される電波に基づいて、表示部１５０におけるキャラクタＸに道具４３３、４３４（図２８に示す）を付加して表示させる。
【０１６２】
［物語ゲームのキャラクタに提供する情報の例］
図２７は、第２の実施の形態における電子機器１００により判定情報を用いて決定された提供情報ＯＩと、提供情報４４１、４４２、４４３との対応関係の一例を示す図である。なお、提供情報を決定する場合に用いる判定情報（テーブル）は、上述した各判定情報（図３、図９、図１４、図１９）を用いることができる。これらの各情報は、電子機器１００の記憶部１３０に記憶される。
【０１６３】
なお、図２７では、提供情報として３以上の情報を提供する例を示すが、１、２の情報を提供するようにしてもよい。
【０１６４】
例えば、提供情報ＯＩとしてＯＩＪＫ１が決定された場合には、「道具（矩形状の道具）」と、「家１０８」と、「お金９９」とが提供対象となる。また、提供情報ＯＩとしてＯＩＧＴ３が決定された場合には、「経験値８９」と、「道具（Ｔ字型の道具）」と、「お金６７」とが提供対象となる。また、提供情報ＯＩとしてＯＩＭＵ９が決定された場合には、「道具（剣型の道具）」と、「お金６７８」と、「経験値２」とが提供対象となる。また、提供情報ＯＩとしてＯＩＰＯ６が決定された場合には、「戦車７」と、「お金１００」と、「道具（棒状の道具）」とが提供対象となる。
【０１６５】
例えば、提供情報が道具の場合には、その道具がキャラクタＸに提供され、キャラクタＸは、その道具を用いることができる。また、例えば、提供情報が経験値の場合には、その経験値の数値の演算（例えば、加算）が順次行われ、キャラクタＸは、その演算結果に基づく経験値に基づいて、各種動作を行うことができる。また、例えば、提供情報がお金の場合には、そのお金の数値の演算（例えば、加算）が順次行われ、キャラクタＸは、その演算結果に基づく合計額に基づいて、各種の買い物等を行うことができる。また、例えば、提供情報が車、家、戦車、飛行機の場合には、その項目の数値の演算（例えば、加算）が順次行われ、キャラクタＸは、その演算結果に基づく各項目の合計値に基づいて、各種の乗り物、物件等を用いることができる。
【０１６６】
［提供情報の表示例］
図２８は、第２の実施の形態における電子機器１００の表示部１５０に提供情報を表示する場合の表示例を示す図である。図２８では、電子機器１００の表示部１５０における物語ゲームの画面において、所定期間に取得された提供情報を表示させる例を示す。
【０１６７】
電子機器１００の制御部１２０は、所定の出力タイミング（例えば、物語ゲームが起動された場合、ユーザ操作により指示された場合、所定の時刻になった場合）で、所定期間（例えば、前回の提供情報表示からの期間）に取得された提供情報を出力（例えば、音声出力、画像表示、他の機器への送信）させることができる。例えば、電子機器１００の制御部１２０は、所定期間に取得された提供情報を記憶部１３０に順次記憶させる。そして、電子機器１００の制御部１２０は、所定の出力タイミングになった場合に、所定期間に取得された提供情報の一覧を提供情報表示領域４３２に表示させることができる。例えば、経験値、お金、家、乗り物などについては、各項目とともに各演算結果（例えば、合計値）が表示される。また、道具については、道具を表す画像が表示される。
【０１６８】
［育てるゲームに関連する情報を提供する例］
図２９は、第２の実施の形態における電子機器１００の表示部１５０に表示される育てるゲームの遷移例を簡略化して示す図である。図２９では、電子機器１００の表示部１５０に表示される魚を育てるゲームにおいて、その魚が育つ遷移を時系列で示す。
【０１６９】
ここで、育てるゲームは、動物、植物等を育てるゲームである。例えば、育てるゲームは、動物、植物等のキャラクタ（所定の標識）が、各種の役割を担ったり、各種の経験（例えば、冒険、探検、対戦）を行ったりしながら、成長をしていくゲームである。図２９では、魚が成長するゲームを示す。
【０１７０】
図２９（１）には、育てるゲームにおいて、生まれたばかりの魚（稚魚）が表示されている例を示す。また、図２９（２）には、育てるゲームにおいて、少し成長した魚が表示されている例を示す。また、図２９（３）には、育てるゲームにおいて、大きく成長した魚が表示されている例を示す。なお、図２９では、説明を容易にするため、電子機器１００の表示部１５０の表示画面に育てるゲームの全体を表示する例を示すが、育てるゲームのフィールドを表示部１５０の表示画面よりも広い領域とするようにしてもよく、複数の画面（例えば、階層構造の画面）を用いて育てるゲームを行うようにしてもよい。また、図２９では、１匹の魚を育てるゲームの例を示すが、複数の魚を育てるようにしてもよく、複数種類の魚や、異なる種別の動物、植物などを育てるようにしてもよい。また、育てる途中で変位（例えば、魚から牛に変位）するようにしてもよい。このように、育てるゲームは、育成ゲーム、見守りゲーム、飼育ゲーム、ペットゲームなどと称することができる。
【０１７１】
電子機器１００の制御部１２０は、記憶部１３０に記憶されているプログラム（例えば、育てるゲームのアプリケーション）に基づいて、表示部１５０に育てるゲームを表示させる。また、電子機器１００の制御部１２０は、ユーザ操作（例えば、操作部におけるユーザ操作、ユーザの音声入力に基づくユーザ操作、電子機器１００の姿勢の変化に基づく操作）に基づいて、魚を育てるための各種動作を制御する。
【０１７２】
また、電子機器１００の制御部１２０は、他の機器から出力される電波に基づいて、表示部１５０における魚に各種情報を付加して表示させる。例えば、電子機器１００の制御部１２０は、複数の他の機器から出力される電波に基づいて、表示部１５０における魚に餌や外敵を付加して表示させる。
【０１７３】
［育てるゲームのキャラクタに提供する情報の例］
図３０は、第２の実施の形態における電子機器１００により判定情報を用いて決定された提供情報ＯＩと、提供情報４６１、４６２、４６３との対応関係の一例を示す図である。なお、提供情報を決定する場合に用いる判定情報（テーブル）は、上述した各判定情報（図３、図９、図１４、図１９）を用いることができる。これらの各情報は、電子機器１００の記憶部１３０に記憶される。
【０１７４】
なお、図３０では、提供情報として３以上の情報を提供する例を示すが、１、２の情報を提供するようにしてもよい。
【０１７５】
例えば、提供情報ＯＩとしてＯＩＨＨ１が決定された場合には、「サメに襲われる」と、「釣られる」と、「タイヤキになる」とが提供対象となる。この場合には、３の提供情報のうちからユーザ操作により１または２の提供情報を選択するようにしてもよく、３の提供情報の全て（例えば、第１〜第３の順番で）を魚に経験させるようにしてもよい。例えば、「サメに襲われる」の提供情報を魚に経験させる場合には、育てる対象の魚とともにサメを表示部１５０に表示させ、育てる対象の魚がサメから逃げる様子が順次表示させる。また、例えば、「釣られる」の提供情報を魚に経験させる場合には、育てる対象の魚が人に釣られる様子を表示部１５０に表示させ、育てる対象の魚が竿から逃げる様子が順次表示させる。また、例えば、「タイヤキになる」の提供情報を魚に経験させる場合には、育てる対象の魚がタイヤキになる様子を表示部１５０に表示させ、育てる対象の魚がタイヤキの夢から覚める様子が順次表示させる。
【０１７６】
このように、魚を育てるゲームにおいて、提供情報に関連する画像が同時または順次表示される。または、魚を育てるゲームにおいて、提供情報に関連する音声情報を同時または順次出力するようにしてもよい。
【０１７７】
例えば、育てるゲームは、ゲームを開始するためのユーザ操作が行われると、育てる対象の魚の卵または稚魚が表示部１５０に表示される。その後は、魚が大きくなるまで自動で育てることができる。例えば、ユーザが電子機器１００を持ち歩くと、電子機器１００の周囲の環境に応じて、提供情報が順次取得されていく。そして、ユーザが育てるゲームの表示指示操作を行うと、その取得された提供情報に基づいて成長した魚が表示部１５０に表示される。または、ユーザが育てるゲームの表示指示操作を行った後に、取得された提供情報に基づく魚の成長する遷移を表示部１５０に順次表示するようにしてもよい。また、ユーザ操作に基づいて、魚を成長させるようにしてもよい。
【０１７８】
電子機器１００の制御部１２０は、所定のタイミング（例えば、育てるゲームの表示指示操作が行われた場合、所定の時刻になった場合）で、所定期間（例えば、前回の育てるゲームの表示からの期間）に取得された提供情報に基づく処理（例えば、身長が伸びる、友達ができる）を行うことができる。例えば、電子機器１００の制御部１２０は、所定期間に取得された提供情報を記憶部１３０に順次記憶させる。そして、電子機器１００の制御部１２０は、所定の出力タイミングになった場合に、所定期間に取得された提供情報に基づく処理を行う。
【０１７９】
［放浪ゲームに関連する情報を提供する例］
図３１は、第２の実施の形態における電子機器１００の表示部１５０に表示される放浪ゲームの遷移例を簡略化して示す図である。図３１では、電子機器１００の表示部１５０に表示される放浪ゲームにおいて、主役の羊が世界各地を旅する遷移を時系列で示す。
【０１８０】
ここで、放浪ゲームは、動物、植物等を育てたり、移動させたりする様子をユーザが楽しむゲームである。例えば、放浪ゲームは、動物、植物等のキャラクタ（所定の標識）が、各種の役割（例えば、旅人）を担ったり、各種の経験（例えば、観光地での記念撮影、観光地での観光）を行ったりしながら、世界各地を旅するゲームである。図３１では、羊が旅するゲームを示す。
【０１８１】
図３１（１）には、放浪ゲームにおいて、主人公の羊が表示されている例を示す。また、図３１（２）（３）には、放浪ゲームにおいて、所定の場所に旅した後の羊が表示されている例を示す。なお、図３１では、説明を容易にするため、電子機器１００の表示部１５０の表示画面に放浪ゲームの全体を表示する例を示すが、放浪ゲームのフィールドを表示部１５０の表示画面よりも広い領域とするようにしてもよく、複数の画面（例えば、階層構造の画面）を用いて放浪ゲームを行うようにしてもよい。また、図３１では、１頭の羊を放浪させるゲームの例を示すが、複数の羊を放浪させるようにしてもよく、複数種類の動物や、異なる種別の動物、植物などを育てるようにしてもよい。また、放浪の途中で変位（例えば、羊から牛に変位）するようにしてもよい。このように、放浪ゲームは、放置ゲームなどと称することができる。
【０１８２】
電子機器１００の制御部１２０は、記憶部１３０に記憶されているプログラム（例えば、放浪ゲームのアプリケーション）に基づいて、表示部１５０に放浪ゲームを表示させる。また、電子機器１００の制御部１２０は、ユーザ操作（例えば、操作部におけるユーザ操作、ユーザの音声入力に基づくユーザ操作、電子機器１００の姿勢の変化に基づく操作）に基づいて、羊を放浪させるための各種動作を制御する。
【０１８３】
また、電子機器１００の制御部１２０は、他の機器から出力される電波に基づいて、表示部１５０における羊に各種情報を付加して表示させる。例えば、電子機器１００の制御部１２０は、複数の他の機器から出力される電波に基づいて、表示部１５０における羊に餌、旅支度、食料、放浪地での記念品、放浪地での写真を付加して表示させる。
【０１８４】
［放浪ゲームのキャラクタに提供する情報の例］
図３２は、第２の実施の形態における電子機器１００により判定情報を用いて決定された提供情報ＯＩと、提供情報４７１、４７２、４７３との対応関係の一例を示す図である。なお、提供情報を決定する場合に用いる判定情報（テーブル）は、上述した各判定情報（図３、図９、図１４、図１９）を用いることができる。これらの各情報は、電子機器１００の記憶部１３０に記憶される。
【０１８５】
なお、図３２では、提供情報として３以上の情報を提供する例を示すが、１、２の情報を提供するようにしてもよい。
【０１８６】
例えば、提供情報ＯＩとしてＯＩＨＫ９が決定された場合には、「カメラを獲得」と、「１０ｋｇの草を獲得」と、「毛の一部を刈られる」とが提供対象となる。この場合には、３の提供情報のうちからユーザ操作により１または２の提供情報を選択するようにしてもよく、３の提供情報の全て（例えば、第１〜第３の順番で）を所定規則（例えば、第１提供情報→第２提供情報→第３提供情報）に基づいて羊に経験させるようにしてもよい。例えば、「カメラを獲得」の提供情報を羊に経験させる場合には、獲得したカメラを首にかけた羊を表示部１５０に表示させる。そして、これ以降に羊が旅に出る場合には、そのカメラにより撮影された写真を取得して帰るように設定することができる。また、例えば、「１０ｋｇの草を獲得」の提供情報を羊に経験させる場合には、獲得した草を家で羊が食べる様子を表示部１５０に表示させる。そして、残った草を旅の弁当にする選択をユーザにさせるようにしてもよい。また、例えば、「毛の一部を刈られる」の提供情報を羊に経験させる場合には、誰かに羊の毛が刈られる様子を表示部１５０に表示させ、これ以降、所定時間が経過するまでの間、毛の一部がない羊の様子が順次表示させる。
【０１８７】
このように、放浪ゲームにおいて、提供情報に関連する画像が同時または順次表示される。または、放浪ゲームにおいて、提供情報に関連する音声情報を同時または順次出力するようにしてもよい。
【０１８８】
例えば、放浪ゲームは、ゲームを開始するためのユーザ操作が行われると、主役の羊が表示部１５０に表示される。その後は、羊に付加される各種情報に基づいて、羊が自動で世界各地に放浪の旅にでることができる。例えば、ユーザが電子機器１００を持ち歩くと、電子機器１００の周囲の環境に応じて、提供情報が順次取得されていく。そして、ユーザが放浪ゲームの表示指示操作を行うと、その取得された提供情報に基づいて、放浪している地域での羊や自宅に戻った羊が表示部１５０に表示される。または、ユーザが放浪ゲームの表示指示操作を行った後に、取得された提供情報に基づいて羊が過去に移動した各地の履歴情報（例えば、観光地での記念撮影写真）を表示部１５０に順次表示するようにしてもよい。例えば、図３１（２）（３）に示す「旅履歴」ボタン４８１の押下操作が行われた場合には、羊が過去に旅した履歴情報（例えば、旅をした場所（例えば、観光地名、地名、国名）、旅をした日時）が表示部１５０に表示される。また、例えば、図３１（２）（３）に示す「旅写真」ボタン４８２の押下操作が行われた場合には、羊が過去に旅した場所における写真情報（例えば、旅をした場所での記念撮影写真）が表示部１５０に表示される。また、例えば、図３１（２）（３）に示す「お土産」ボタン４８３の押下操作が行われた場合には、羊が過去に旅した場所におけるお土産情報（例えば、旅をした場所の特産物、名産等の画像、お土産の説明文）が表示部１５０に表示される。また、ユーザ操作に基づいて、羊を旅させるようにしてもよい。
【０１８９】
電子機器１００の制御部１２０は、所定のタイミング（例えば、放浪ゲームの表示指示操作が行われた場合、所定の時刻になった場合）で、所定期間（例えば、前回の放浪ゲームの表示からの期間）に取得された提供情報に基づく処理（例えば、群馬に旅する、沖縄に旅する）を行うことができる。例えば、電子機器１００の制御部１２０は、所定期間に取得された提供情報を記憶部１３０に順次記憶させる。そして、電子機器１００の制御部１２０は、所定の出力タイミングになった場合に、所定期間に取得された提供情報に基づく処理を行う。
【０１９０】
［ゲームの動作例］
図３３は、第２の実施の形態における電子機器１００による提供情報決定処理の一例を示すフローチャートである。なお、図３３は、図８の変形例であり、ステップＳ２２３〜Ｓ２２６は、図８に示すステップＳ２０１〜Ｓ２０４に対応する。このため、図３３では、図８と異なる点を中心に説明する。
【０１９１】
最初に、電子機器１００の制御部１２０（図２に示す）は、ユーザ操作が行われたか否かを判断する（ステップＳ２２１）。例えば、図２５（１）に示す操作ボタン群８１の何れかの押下操作があった場合には、ユーザ操作が行われたと判断される。なお、ユーザ操作が行われない場合には、ステップＳ２２３に進む。
【０１９２】
ユーザ操作が行われた場合には（ステップＳ２２１）、電子機器１００の制御部１２０は、そのユーザ操作に基づく処理を行う（ステップＳ２２２）。例えば、図２５（１）に示す操作ボタン群８１の何れかの押下操作があった場合には、電子機器１００の制御部１２０は、その押下操作されたボタンに対応する動作をキャラクタＡにさせるための情報を表示装置４１０に送信する。
【０１９３】
次に、電子機器１００の制御部１２０は、通信部１１０により受信された電波を測定して各電波情報（例えば、電波強度、機器の種別）を取得する（ステップＳ２２３）。そして、電子機器１００の制御部１２０は、取得した電波情報を機器毎に記憶部１３０に保持させる（ステップＳ２２４）。この電波情報の取得処理は、定期的に行うようにしてもよく、不定期に行うようにしてもよい。
【０１９４】
次に、電子機器１００の制御部１２０は、提供条件を満たすか否かを判断する（ステップＳ２２５）。そして、提供条件を満していない場合には、動作を終了し、提供条件を満たす場合には、ステップＳ２２６に進む。
【０１９５】
ここで、提供条件を満たすか否かを判断する判断基準として、例えば、所定時間が経過したか否か、所望の提供情報（例えば、所望の道具、所望の経験）が提供対象として決定可能となったか否か、所定のユーザ操作（例えば、図２５（１）に示す「取得」ボタン８２の押下操作）が行われたか否か、新たな提供情報（例えば、所望の道具、所望の経験）を取得可能か否かを用いることができる。なお、所定時間は、例えば、電子機器１００の電源がオンされてからの経過時間や、電子機器１００の電源がオンされた後に、直前の情報（提供情報）が提供されてからの経過時間に基づいて判断することができる。また、所定時間は、予め設定されている時間とするようにしてもよく、ユーザ操作によりユーザの好みに応じた時間を設定するようにしてもよい。
【０１９６】
提供条件を満たす場合には（ステップＳ２２５）、電子機器１００の制御部１２０は、記憶部１３０に保持されている電波情報に基づいて、提供対象となる情報を決定する（ステップＳ２２６）。
【０１９７】
次に、電子機器１００の制御部１２０は、提供対象として決定した情報を記憶部１３０に記憶する（ステップＳ２２７）。このように、記憶部１３０に記憶した提供情報については、例えば、ユーザ操作に基づいて使用することが可能である。例えば、図２５（２）に示す「使用」ボタン８３の押下操作を行うことにより、取得した道具を使用することができる。
【０１９８】
このように、電子機器１００（制御部１２０）は、周囲に存在する機器から出力される電波（自機器宛ではない電波を含む１または複数の電波）に基づいて、複数のコンテンツ（例えば、対戦ゲームのキャラクタに付与する複数の情報、物語ゲームのキャラクタに付与する複数の情報、育てるゲームのキャラクタに付与する複数の情報、放浪ゲームのキャラクタに付与する複数の情報）のうちからユーザに提供する少なくとも１つのコンテンツを決定することができる。
【０１９９】
また、電子機器１００（制御部１２０）は、周囲に存在する機器から出力される電波（自機器宛ではない電波を含む１または複数の電波）に基づいて、当該電波に基づく無線通信に関する処理及び当該電波に基づく無線通信を利用した処理とは異なる複数の処理（例えば、ゲームを進行させる処理、ゲームのキャラクタに情報を付与する処理）のうちから少なくとも１つの処理を選択して実行することができる。なお、これらの各ゲームは、一例であり、他のゲームについても同様に適用することができる。
【０２００】
［第３の実施の形態：位置情報を用いて情報の提供を行う例］
第１、２の実施の形態では、他の機器から出力される電波を用いて各種情報の提供を行う例を示した。ただし、他の機器から出力される電波とともに、位置情報を用いて各種情報の提供を行うようにしてもよい。これにより、例えば、地域ごとの各種情報の提供を行うことができる。なお、第３の実施の形態は、第１、２の実施の形態の変形例であり、第１、２の実施の形態と共通する部分については、その説明の一部を省略する。
【０２０１】
［電子機器の機能構成例］
図３４は、第３の実施の形態における電子機器５００の機能構成例を示すブロック図である。
【０２０２】
電子機器５００は、通信部５０１と、位置情報取得部５０２と、制御部５０３と、記憶部５０４と、操作部５０５と、表示部５０６と、音声出力部５０７とを有する。なお、電子機器５００は、図２に示す電子機器１００において位置情報取得部５０２を追加したものであり、他の部分は、図２に示す電子機器１００に共通する。このため、ここでは、図２に示す電子機器１００と異なる点を中心に説明する。
【０２０３】
位置情報取得部５０２は、電子機器５００が存在する位置に関する位置情報を取得するものであり、取得した位置情報を制御部５０３に出力する。位置情報取得部５０２は、例えば、ＧＰＳ（Global Positioning System：全地球測位システム）信号を受信してそのＧＰＳ信号に基づいて位置情報を算出するＧＰＳ受信機により実現することができる。また、その算出された位置情報には、ＧＰＳ信号の受信時における緯度、経度、高度等の位置に関する各データが含まれる。また、他の位置情報の取得方法により位置情報を取得する位置情報取得装置を用いるようにしてもよい。例えば、周囲に存在する無線ＬＡＮによるアクセスポイント情報を用いて位置情報を導き出し、この位置情報を取得する位置情報取得装置を用いるようにしてもよい。また、例えば、通話や通信に利用する基地局の位置情報を用いて位置情報を導き出し、この位置情報を取得する位置情報取得装置を用いるようにしてもよい。また、例えば、ナビゲーション装置（例えば、カーナビゲーション装置）による位置推定技術を用いて位置情報を導き出し、この位置情報を取得する位置情報取得装置を用いるようにしてもよい。例えば、各種センサ（例えば、加速度センサ、ジャイロセンサ）によるセンサ情報と、地図情報とに基づいて、自機器の位置を推定することができる。
【０２０４】
［特定地域毎の提供情報例］
図３５は、第３の実施の形態における電子機器５００により提供情報を決定する際に用いられる特定地域５１１と、提供情報ＯＩ（５１２）と、提供情報（音声情報５１３及び画像情報５１４）との対応関係の一例を示す図である。
【０２０５】
特定地域５１１は、特定のコンテンツを提供する地域である。例えば、国単位、県単位、市町村単位、公共施設単位（例えば、学校、公園）、商業施設単位（例えば、ショッピングセンター、遊園地、テーマパーク）などとすることができる。例えば、電子機器５００の位置情報取得部５０２により取得された位置情報に基づいて特定される電子機器５００の現在位置が、特定地域５１１に登録されている領域（例えば、地域Ａ、地域Ｂ）に含まれる場合には、電子機器５００の現在位置が含まれる領域（例えば、地域Ａ、地域Ｂ）に関連付けられている提供情報の中から、提供対象となる情報が決定される。
【０２０６】
例えば、電子機器５００の現在位置が特定地域５１１に登録されている地域に含まれていない場合には、通常の提供情報（図３５に示す特定地域５１１「―」に関連付けられている提供情報）の中から、提供対象となる情報が決定される。また、例えば、電子機器５００の現在位置が特定地域５１１に登録されている地域Ａに含まれる場合には、図３５に示す特定地域５１１「地域Ａ」に関連付けられている提供情報の中から、提供対象となる情報が決定される。また、例えば、電子機器５００の現在位置が特定地域５１１に登録されている地域Ｂに含まれる場合には、図３５に示す特定地域５１１「地域Ｂ」に関連付けられている提供情報の中から、提供対象となる情報が決定される。
【０２０７】
例えば、特定地域が自然豊かな市町村である場合には、特定地域に関連付けられている提供情報（コンテンツ群）として、その市町村を紹介するコンテンツや、その市町村に関する特産物、その市町村に存在する各施設の割引券、優待券などが考えられる。また、例えば、特定地域がショッピングセンターである場合には、特定地域に関連付けられている提供情報（コンテンツ群）として、そのショッピングセンターにおける特売品を紹介するコンテンツや、そのショッピングセンターにおいて使用可能な各種情報（例えば、ポイント、クーポン、割引券、優待券）などが考えられる。
【０２０８】
［位置情報を用いて提供情報を決定する動作例］
図３６は、第３の実施の形態における電子機器５００によるコンテンツ出力処理の一例を示すフローチャートである。なお、図３６は、図８の変形例であり、ステップＳ２４１〜Ｓ２４３、Ｓ２４７は、図８に示すステップＳ２０１〜Ｓ２０３、Ｓ２０５に対応する。このため、図３６では、図８と異なる点を中心に説明する。
【０２０９】
提供条件を満たす場合には（ステップＳ２４３）、電子機器５００の制御部５０３は、位置情報取得部５０２により取得された位置情報に基づいて電子機器５００の現在位置を把握し、その現在位置が特定地域に含まれるか否かを判断する（ステップＳ２４４）。
【０２１０】
例えば、特定地域５１１に登録されている各地域（例えば、図３５に示す地域Ａ）を特定するための領域情報（例えば、緯度及び経度により領域Ａを特定するための情報）を記憶部５０４に記憶しておく。そして、電子機器５００の制御部５０３は、位置情報取得部５０２により取得された位置情報に基づいて特定される現在位置（電子機器５００が存在する位置の緯度及び経度）が、その領域情報に含まれるか否かを判断することにより、その現在位置が特定地域に含まれるか否かを判断することができる。また、地図情報を用いて、現在位置が特定地域に含まれるか否かを判断するようにしてもよい。
【０２１１】
電子機器５００の現在位置が特定地域に含まれない場合には（ステップＳ２４４）、電子機器５００の制御部５０３は、通常の提供情報群の中から、記憶部５０４に保持されている各機器の電波情報に基づいて、提供対象となる情報を決定する（ステップＳ２４５）。
【０２１２】
また、電子機器５００の現在位置が特定地域に含まれる場合には（ステップＳ２４４）、電子機器５００の制御部５０３は、電子機器５００の現在位置が含まれる特定地域に関連付けられている提供情報群の中から、記憶部５０４に保持されている各機器の電波情報に基づいて、提供対象となる情報を決定する（ステップＳ２４６）。
【０２１３】
例えば、電子機器５００の現在位置が地域Ａ（図３５に示す）に含まれる場合には（ステップＳ２４４）、電子機器５００の制御部５０３は、その地域Ａに関連付けられている提供情報群（図３５に示す地域Ａに関連する各情報群）の中から、記憶部５０４に保持されている各機器の電波情報に基づいて、提供対象となる情報を決定する（ステップＳ２４６）。
【０２１４】
［第４の実施の形態：外部の機器により取得された電波情報を用いて情報の提供を行う例］
第１〜３の実施の形態では、自機器の周囲に存在する他の機器から出力される電波を用いて各種情報の提供を行う例を示した。ただし、自機器以外の外部の機器を用いて電波情報を取得し、その電波情報を用いて各種情報の提供を行うようにしてもよい。例えば、通信機能を備えるウエアラブル機器（例えば、スマートウォッチ、スマート眼鏡）の周囲に存在する他の機器から出力される電波情報をそのウエアラブル機器が取得し、その電波情報をスマートフォンに渡して（例えば、送信、転送）、スマートフォンがその電波情報を用いて各種情報の提供を行うことができる。これにより、例えば、ユーザが気軽に身に着けられる機器（例えば、ウエアラブル機器）を用いて電波情報の取得を行うことができ、ユーザインタフェースが充実している機器（例えば、スマートフォン）においてその電波情報を用いて各種情報の提供を行うことができる。なお、第４の実施の形態は、第１〜３の実施の形態の変形例であり、第１〜３の実施の形態と共通する部分については、その説明の一部を省略する。
【０２１５】
［電子機器の機能構成例］
図３７は、第４の実施の形態における電子機器５５０、５６０の機能構成例を示すブロック図である。
【０２１６】
電子機器５５０は、通信部５５１と、制御部５５２と、記憶部５５３とを有する。なお、電子機器５５０は、図２に示す電子機器１００において操作部１４０、表示部１５０、音声出力部１６０を省略したものであり、他の部分は、図２に示す電子機器１００に共通する。このため、ここでは、図２に示す電子機器１００と異なる点を中心に説明する。また、電子機器５５０は、携帯型の簡易的な機器（例えば、ウエアラブル機器（例えば、腕時計型の機器、眼鏡型の機器））とすることができる。また、電子機器５５０は、携帯型の情報処理装置として、例えば、スマートフォン、タブレット端末、パーソナルコンピュータ等とすることができる。また、電子機器５５０は、据え置き型の機器とすることができ、例えば、人工知能（ＡＩ（Artificial Intelligence））を搭載したＡＩスピーカ、無線通信機能を有するスピーカ等とすることができる。
【０２１７】
通信部５５１は、制御部５５２の制御に基づいて、他の機器から出力される電波を受信するものである。そして、通信部５５１は、その受信した電波に関する各種情報を制御部５５２に出力する。なお、通信部５５１は、受信機能のみを有する簡易的な機器でもよく、送受信機能を備える機器でもよい。通信部５５１が送受信機能を備える場合には、制御部５５２は、通信部５５１から各種情報を他の機器（電子機器５６０）に無線送信することができる。
【０２１８】
記憶部５５３は、各種情報を記憶するメモリである。例えば、記憶部５５３には、電子機器５５０が各種処理を行うために必要となる各種情報（例えば、制御プログラム）が記憶される。なお、記憶部５５３については、取り外し可能な記憶部とするようにしてもよく、内蔵される記憶部としてもよい。また、これらの双方としてもよい。
【０２１９】
電子機器５６０は、通信部５６１と、制御部５６２と、記憶部５６３と、操作部５６４と、表示部５６５と、音声出力部５６６とを有する。なお、電子機器５６０は、図２に示す電子機器１００に共通する。このため、ここでは、図２に示す電子機器１００と異なる点を中心に説明する。
【０２２０】
［他の機器により取得された電波情報を用いて情報を提供する場合の通信例］
図３８は、第４の実施の形態における電子機器５５０及び電子機器５６０による通信処理例を示すフローチャートである。なお、図３８に示すステップＳ２５１、Ｓ２５２、Ｓ２５６、Ｓ２５７は、図８に示すステップＳ２０１、Ｓ２０２、Ｓ２０４、Ｓ２０５に対応する。このため、ここでは、図８に示す例と異なる点を中心に説明する。また、電子機器５５０、５６０には、図３８に示す各処理を実現するためのアプリケーション（プログラム）が予め設定されているものとする。
【０２２１】
最初に、電子機器５５０の制御部５５２は、通信部５５１により受信された電波を測定して各電波情報（例えば、電波強度、機器の種別）を取得する（ステップＳ２５１）。そして、電子機器５５０の制御部５５２は、取得した電波情報を機器毎に記憶部５５３に記憶させる（ステップＳ２５２）。この電波情報の取得処理は、定期的に行うようにしてもよく、不定期に行うようにしてもよい。
【０２２２】
次に、電子機器５５０の制御部５５２は、電波情報送信条件を満たすか否かを判断する（ステップＳ２５３）。そして、電波情報送信条件を満していない場合には、ステップＳ２５１に戻り、電波情報送信条件を満たす場合には、ステップＳ２５４に進む。
【０２２３】
ここで、電波情報送信条件を満たすか否かを判断する判断基準として、例えば、電子機器５６０との通信（無線通信、有線通信）が可能な状態になったか否か、所定のユーザ操作（例えば、送信指示操作）が行われたか否かを用いることができる。
【０２２４】
電波情報送信条件を満たす場合には（ステップＳ２５３）、電子機器５５０の制御部５５２は、記憶部５５３に保持されている電波情報を電子機器５６０に送信する（ステップＳ２５４）。なお、電子機器５５０が無線送信機能を備えない場合には、他の手段（例えば、有線通信、記録媒体を用いた移動、所定のネットワークを介した移動）により電波情報を移動させることができる。また、電子機器５６０に送信した電波情報については、記憶部５５３から消去するようにしてもよい。
【０２２５】
電子機器５５０からの電波情報を受信した場合には、電子機器５６０の制御部５６２は、受信した電波情報を記憶部５６３に保持させる（ステップＳ２５５）。次に、電子機器５６０の制御部５６２は、受信した電波情報に基づいて、提供対象となる情報を決定する（ステップＳ２５６）。
【０２２６】
次に、電子機器５６０の制御部５６２は、決定した情報を提供する（ステップＳ２５７）。
【０２２７】
なお、以上では、判定情報（例えば、図３、図９、図１４、図１９に示す判定情報）と、提供情報（例えば、図４、図１５、図２０、図２４、図２７、図３０、図３２、図３５に示す提供情報）とを電子機器１００、５００、５６０の記憶部１３０、５０４、５６３に予め記憶しておく例を示した。ただし、これらの各情報を外部から取得して用いるようにしてもよい。例えば、有線回線または無線回線を介して他の機器との通信が可能な通信部（通信部１１０、５０１、５６１）を外部機器（または、所定のネットワーク（例えば、インターネット））に接続し、その各情報の全部または一部を外部機器から取得するようにしてもよい。この場合に、電子機器において提供情報を決定する毎に、各情報を取得して用いるようにしてもよく、定期的または不定期に各情報を取得して用いるようにしてもよい。
【０２２８】
また、例えば、特定の事業者（例えば、特定のコンテンツや割引クーポンを提供する会社）と提携し、提供情報を決定するようにしてもよい。例えば、特定の事業者から、判定情報の提供を受け、この判定情報に基づいて、特定の事業者から提供される情報（例えば、割引クーポン、特定コンテンツ）を、電子機器から出力するようにしてもよい。
【０２２９】
また、ユーザが提供情報を登録しておき、登録されている提供情報の中から、提供情報を決定処理により決定するようにしてもよい。
【０２３０】
このように、電子機器５６０（制御部５６２）は、電子機器５５０の周囲に存在する機器から出力される電波（電子機器５５０宛ではない電波を含む１または複数の電波）に基づいて、複数のコンテンツのうちからユーザに提供する少なくとも１つのコンテンツを決定することができる。
【０２３１】
また、電子機器５６０（制御部５６２）は、電子機器５５０の周囲に存在する機器から出力される電波（電子機器５５０宛ではない電波を含む１または複数の電波）に基づいて、当該電波に基づく無線通信に関する処理及び当該電波に基づく無線通信を利用した処理とは異なる複数の処理のうちから少なくとも１つの処理を選択して実行することができる。
【０２３２】
［第５の実施の形態：電子機器で行う処理の一部を他の機器で処理させる例］
第１〜第４の実施の形態では、ユーザが所持する電子機器により電波情報を取得し、その電波情報を用いて提供情報を決定する例を示した。ここで、提供情報が多い場合には、記憶部の容量を確保することが困難であることも想定される。また、ユーザが所持する電子機器の中には、処理能力が低い機器も存在することも想定される。そこで、例えば、ユーザが所持する電子機器には、比較的少ない情報のみを保持させるとともに、比較的簡易的な処理のみを行わせ、他の情報の保持や他の処理については、記憶容量が大きく処理能力が高い他の機器に行わせることも考えられる。そこで、第５の実施の形態では、ユーザが所持する電子機器で行う処理の一部を他の機器で処理させる例を示す。
【０２３３】
［通信システムの構成例］
図３９は、第５の実施の形態における通信システム６００のシステム機能構成例を示す図である。
【０２３４】
通信システム６００は、サーバ６１０と、ネットワーク６２０と、電子機器６３０とを有する。なお、通信システム６００を構成する機器として、無線通信を行うための基地局やアクセスポイント等も想定されるが、ここでの図示及び説明を省略する。
【０２３５】
サーバ６１０は、電子機器６３０から出力される電波情報に基づいて、電子機器６３０に各種情報（提供情報）を提供するサーバ（情報処理装置）である。
【０２３６】
ネットワーク６２０は、公衆回線網、インターネット等のネットワークである。
【０２３７】
電子機器６３０は、ユーザＰ０が所持する電子機器であり、周囲に存在する他の機器（図示せず）との間で無線通信を行う。
【０２３８】
また、電子機器６３０は、通信部６３１（図４０に示す）を有し、無線通信を利用してネットワーク６２０に接続（例えば、通信事業者が管理する基地局やアクセスポイントを介して接続）して各情報のやり取りを行うことができる。なお、電子機器６３０は、無線通信を利用して他の機器（例えば、無線ＬＡＮルーター）を経由してネットワーク６２０に接続して各情報のやり取りを行うようにしてもよい。
【０２３９】
［サーバ及び電子機器の機能構成例］
図４０は、第５の実施の形態におけるサーバ６１０及び電子機器６３０の機能構成例を示すブロック図である。なお、電子機器６３０の機能構成については、図２に示す電子機器１００と略同様であるため、ここでの説明を省略する。
【０２４０】
サーバ６１０は、通信部６１１と、制御部６１２と、記憶部６１３とを有する。
【０２４１】
通信部６１１は、制御部６１２の制御に基づいて、他の機器との間で、有線回線または無線回線を介して、各種情報のやりとりを行うものである。例えば、通信部６１１は、ネットワーク６２０を介して、電子機器６３０との間で各種情報のやりとりを行う。
【０２４２】
制御部６１２は、記憶部６１３に記憶されている制御プログラムに基づいてサーバ６１０の各部を制御するものである。制御部６１２は、例えば、ＣＰＵにより実現される。
【０２４３】
記憶部６１３は、各種情報を記憶するメモリである。例えば、記憶部６１３には、サーバ６１０が各種処理を行うために必要となる各種情報（例えば、制御プログラム）が記憶される。また、記憶部６１３には、ネットワーク６２０を介して、通信部６１１により取得された各情報（電子機器６３０から出力された電波情報）に基づいて提供対象となる情報を決定するための判定情報（例えば、図３、図９、図１４、図１９に示す判定情報）が記憶される。また、記憶部６１３には、ネットワーク６２０を介して接続される各電子機器（電子機器６３０）に提供する提供情報（例えば、図４、図１５、図２０、図２４、図２７、図３０、図３２、図３５に示す提供情報）が記憶される。
【０２４４】
電子機器６３０は、通信部６３１と、制御部６３２と、記憶部６３３と、操作部６３４と、表示部６３５と、音声出力部６３６とを有する。なお、電子機器６３０における通信部６３１は、所定範囲内に存在する電子機器との間で無線通信を行うとともに、携帯電話会社等の通信事業者が設置する基地局を介して所定のネットワーク（例えば、インターネット）に接続して通信をすることができる。
【０２４５】
［サーバ６１０が情報を提供する場合の通信例］
図４１は、第５の実施の形態におけるサーバ６１０及び電子機器６３０による通信処理例を示すフローチャートである。なお、図４１に示すステップＳ２６１、Ｓ２６２、Ｓ２６６は、図８に示すステップＳ２０１、Ｓ２０２、Ｓ２０４に対応する。このため、ここでは、図８に示す例と異なる点を中心に説明する。また、サーバ６１０及び電子機器６３０には、図４１に示す各処理を実現するためのアプリケーション（プログラム）が予め設定されているものとする。
【０２４６】
最初に、電子機器６３０の制御部６３２は、通信部６３１により受信された電波を測定して各電波情報（例えば、電波強度、機器の種別）を取得する（ステップＳ２６１）。そして、電子機器６３０の制御部６３２は、取得した電波情報を機器毎に記憶部６３３に記憶させる（ステップＳ２６２）。この電波情報の取得処理は、定期的に行うようにしてもよく、不定期に行うようにしてもよい。
【０２４７】
次に、電子機器６３０の制御部６３２は、提供条件を満たすか否かを判断する（ステップＳ２６３）。そして、提供条件を満していない場合には、ステップＳ２６１に戻り、提供条件を満たす場合には、ステップＳ２６４に進む。
【０２４８】
なお、提供条件を満たすか否かを判断する判断基準は、例えば、図８に示す例と同様とすることができる。また、サーバ６１０との通信（無線通信、有線通信）が可能な状態になったか否か、所定のユーザ操作（例えば、送信指示操作）が行われたか否かを用いるようにしてもよい。
【０２４９】
提供条件を満たす場合には（ステップＳ２６３）、電子機器６３０の制御部６３２は、記憶部６３３に保持されている電波情報をサーバ６１０に送信する（ステップＳ２６４）。
【０２５０】
電子機器６３０からの電波情報を受信した場合には、サーバ６１０の制御部６１２は、受信した電波情報を記憶部６１３に保持させる（ステップＳ２６５）。次に、サーバ６１０の制御部６１２は、受信した電波情報に基づいて、提供対象となる情報を決定する（ステップＳ２６６）。
【０２５１】
次に、サーバ６１０の制御部６１２は、その受信した電波情報を送信した電子機器６３０に、その受信した電波情報に基づいて決定した情報（提供情報）を送信する（ステップＳ２６７）。
【０２５２】
サーバ６１０からの情報を受信した場合には、電子機器６３０の制御部６３２は、受信した提供情報を記憶部６３３に保持させる（ステップＳ２６８）。次に、電子機器６３０の制御部６３２は、受信した情報を用いた処理を行う（ステップＳ２６９）。例えば、電子機器６３０の制御部６３２は、受信した情報に基づいてコンテンツの出力処理を行う（ステップＳ２６９）。
【０２５３】
このように、サーバ６１０（制御部６１２）は、電子機器６３０の周囲に存在する機器から出力される電波（電子機器６３０宛ではない電波を含む１または複数の電波）に基づいて、複数のコンテンツのうちから電子機器６３０に提供する少なくとも１つのコンテンツを決定することができる。
【０２５４】
また、サーバ６１０（制御部６１２）は、電子機器６３０の周囲に存在する機器から出力される電波（電子機器６３０宛ではない電波を含む１または複数の電波）に基づいて、当該電波に基づく無線通信に関する処理及び当該電波に基づく無線通信を利用した処理とは異なる複数の処理のうちから少なくとも１つの処理を選択して電子機器６３０に実行させることができる。なお、第５の実施の形態では、サーバ６１０が１つの機器により構成される例を示したが、サーバ６１０の機能を実現するための各処理を複数の機器（情報処理システム）が行うようにしてもよい。すなわち、第１〜第４の実施の形態で示した電子機器による各処理（提供情報を決定するための各処理）を複数の機器（情報処理システム）が行うようにしてもよい。
【０２５５】
［第６の実施の形態：機器の登録情報及び位置情報を用いて情報を提供する例］
第１〜第５の実施の形態では、ユーザが使用する電子機器の比較的近く（電波（例えば、無線ＬＡＮの電波）が届く範囲）に１または複数の機器が存在する場合の例を示した。このような環境では、ユーザが使用する機器は、通信相手の機器との間では、その通信相手の機器から出力される電波を利用して各処理（例えば、コンテンツのやりとり）を行うことができる。また、そのような環境において、ユーザが使用する機器は、通信相手の機器以外の機器からの電波も受信している。そこで、第１〜第５の実施の形態では、そのような環境において、通信相手の機器やそれ以外の機器からの電波を利用して、通信相手の機器との通信に基づく処理以外の処理を行い、ユーザが使用する機器の楽しみを増加させる例を示した。
【０２５６】
ここで、例えば、ユーザが使用する電子機器の比較的近く（電波（例えば、無線ＬＡＮの電波）が届く範囲）に他の機器が存在しないことも想定される。このような場合でも、自機器と他の機器との関係を用いて、各種情報の提供を行うことができれば、世界各地の多様な環境の中で、機器を使用する楽しみを提供することができると考えられる。すなわち、そのような環境（ユーザが使用する電子機器の比較的近く（電波（例えば、無線ＬＡＮの電波）が届く範囲）に他の機器が存在しない環境）においても、自機器と他の機器との関係を用いて、通信相手の機器との通信に基づく処理以外の処理を行い、ユーザが使用する機器の楽しみを増加させることができると考えられる。
【０２５７】
そこで、第６の実施の形態では、周囲に存在する他の機器との関係を利用して、ユーザが使用する機器の楽しみを提供することを目的とする。すなわち、第６の実施の形態では、所定のネットワークを利用して、自機器と他の機器との関係を把握して、その関係を用いて、各種情報の提供を行う例を示す。なお、第６の実施の形態は、第１〜５の実施の形態の変形例であり、第１〜５の実施の形態と共通する部分については、その説明の一部を省略する。
【０２５８】
［通信システムの構成例］
図４２は、第６の実施の形態における通信システム７００のシステム機能構成例を示す図である。
【０２５９】
通信システム７００は、サーバ７１０と、ネットワーク７２０と、電子機器７３０、７４１〜７４５とを有する。なお、通信システム７００を構成する機器として、無線通信を行うための基地局やアクセスポイント、他の電子機器等も想定されるが、ここでの図示及び説明を省略する。
【０２６０】
サーバ７１０は、複数の機器（例えば、電子機器７３０、７４１〜７４５）に関する情報（登録情報）を管理するサーバ（情報処理装置）である。また、サーバ７１０は、複数の機器（例えば、電子機器７３０、７４１〜７４５）から定期的または不定期に送信される位置情報を取得し、その位置情報を管理する。また、サーバ７１０は、その管理されている位置情報に基づいて、各機器（例えば、電子機器７３０、７４１〜７４５）に各種情報（提供情報）を提供する。なお、サーバ７１０が管理する登録情報については、図４４を参照して説明する。
【０２６１】
ネットワーク７２０は、公衆回線網、インターネット等のネットワークである。
【０２６２】
電子機器７３０、７４１〜７４５は、無線通信または有線通信を利用してネットワーク７２０に接続（例えば、通信事業者が管理する基地局やアクセスポイントを介して接続）して各情報のやり取りを行う電子機器である。なお、電子機器７３０、７４１〜７４５は、無線通信または有線通信を利用して他の機器（例えば、無線ＬＡＮルーター）を経由してネットワーク７２０に接続して各情報のやり取りを行うようにしてもよい。また、電子機器７３０、７４１〜７４５は、周囲に存在する他の機器との間で無線通信を行うようにしてもよい。
【０２６３】
［サーバ及び電子機器の機能構成例］
図４３は、第６の実施の形態におけるサーバ７１０及び電子機器７３０の機能構成例を示すブロック図である。なお、電子機器７３０の機能構成については、図３４に示す電子機器５００と略同様であるため、ここでの説明を省略する。また、電子機器７４１〜７４５の機能構成についても、図３４に示す電子機器５００と略同様であるため、ここでの説明を省略する。
【０２６４】
サーバ７１０は、通信部７１１と、制御部７１２と、記憶部７１３とを有する。
【０２６５】
通信部７１１は、制御部７１２の制御に基づいて、他の機器との間で、有線回線または無線回線を介して、各種情報のやりとりを行うものである。例えば、通信部７１１は、ネットワーク７２０を介して、電子機器７３０との間で各種情報のやりとりを行う。
【０２６６】
制御部７１２は、記憶部７１３に記憶されている制御プログラムに基づいてサーバ７１０の各部を制御するものである。制御部７１２は、例えば、ＣＰＵにより実現される。
【０２６７】
記憶部７１３は、各種情報を記憶するメモリである。例えば、記憶部７１３には、サーバ７１０が各種処理を行うために必要となる各種情報（例えば、制御プログラム）が記憶される。また、記憶部７１３には、ネットワーク７２０を介して、通信部７１１により取得された各機器の登録情報（例えば、図４４に示す登録情報）が記憶される。また、記憶部７１３には、ネットワーク７２０を介して、通信部７１１により取得された各機器の位置情報（例えば、電子機器７３０、７４１〜７４５から出力された位置情報）が記憶される。また、記憶部７１３には、ネットワーク７２０を介して、通信部７１１により取得された各機器の位置情報（例えば、電子機器７３０、７４１〜７４５から出力された位置情報）に基づいて提供対象となる情報を決定するための判定情報（例えば、図４５に示す判定情報）が記憶される。また、記憶部７１３には、ネットワーク７２０を介して接続される各電子機器（例えば、電子機器７３０、７４１〜７４５）に提供する提供情報（例えば、図４、図１５、図２０、図２４、図２７、図３０、図３２、図３５に示す提供情報）が記憶される。
【０２６８】
電子機器７３０は、通信部７３１と、位置情報取得部７３２と、制御部７３３と、記憶部７３４と、操作部７３５と、表示部７３６と、音声出力部７３７とを有する。なお、電子機器７３０における通信部７３１は、携帯電話会社等の通信事業者が設置する基地局、他の機器（例えば、無線ＬＡＮルータ）、アクセスポイントなどを介して所定のネットワーク（例えば、インターネット）に接続して通信をすることができる。
【０２６９】
［サーバ７１０が管理する登録情報例］
図４４は、第６の実施の形態におけるサーバ７１０が管理する登録情報の一例を示す図である。この登録情報は、記憶部７１３に記憶される。また、この登録情報は、電子機器のユーザによる手動操作によりサーバ７１０に登録される。
【０２７０】
サーバ７１０が管理する登録情報として、例えば、機器識別情報７５１と、位置情報７５２と、機器種別情報７５３と、識別情報７５４とが記憶される。
【０２７１】
機器識別情報７５１は、各機器を識別することが可能な情報である。例えば、端末識別情報、ＭＡＣアドレスなどの機器の固有の情報を登録することができる。なお、図４４では、説明を容易にするため、電子機器７３０の機器種別情報７５１を「ＯＴ０７３０」とし、電子機器７４１〜７４５の機器種別情報７５１を「ＯＴ０７４１」〜「ＯＴ０７４５」とする例を示す。
【０２７２】
位置情報７５２は、各機器から定期的または不定期に送信される位置情報である。例えば、各機器の位置を特定するための情報（例えば、緯度及び経度、地図上の地物の名称、地域名）が記憶される。
【０２７３】
機器種別情報７５３は、電子機器のユーザによる手動操作により登録される情報である。この情報の登録は、必須ではなく、任意であるものとする。
【０２７４】
識別情報７５４は、各機器に提供する情報を決定する際に用いる情報である。例えば、登録順にＡ、Ｂ、Ｃ、・・・、Ｘ、Ｙ、Ｚが各機器に付与されるようにする。なお、Ａ、Ｂ、Ｃ、・・・、Ｘ、Ｙ、Ｚは、一例であり、他の情報（例えば、数値、記号、他の言語）を使用するようにしてもよい。また、識別情報７５４として、登録の順番を示す登録番号（１〜Ｍ（ただし、Ｍは、正の整数））を使用するようにしてもよい。なお、図４４では、説明を容易にするため、電子機器７３０の識別情報７５４を「Ａ」とし、電子機器７４１〜７４５の識別情報７５４を「Ｂ」〜「Ｆ」とする例を示す。
【０２７５】
［他の機器の位置情報を用いて提供情報を決定するための判定情報例］
図４５は、第６の実施の形態における電子機器７３０と他の機器との位置関係に基づいて提供情報を決定する場合に用いる判定情報（テーブル）の一例を示す図である。図４５に示す判定情報は、電子機器７３０から近い順に並べた機器の識別情報（図４４に示す識別情報７５４）と、提供情報ＯＩとの対応関係を示す情報である。この判定情報は、記憶部７１３に記憶される。
【０２７６】
図４５において、近さ順位＃１、＃２、＃３は、電子機器７３０以外の他の機器のうち、電子機器７３０から近い位置に存在する機器の順位を示す値である。また、図４５に示す判定情報（テーブル）は、各機器の識別情報（Ａ〜Ｚ）を近さ順位に並べた場合の複数のパターンと、提供情報ＯＩ（ＯＩ１〜ＯＩＭ（ただし、Ｍは正の整数））とが関連付けられている情報である。例えば、電子機器７３０から一番近い位置に存在する他の機器の識別情報（図４４に示す識別情報７５４）が「Ａ」であり、電子機器７３０から二番目に近い位置に存在する他の機器の識別情報（図４４に示す識別情報７５４）も「Ａ」であり、電子機器７３０から三番目に近い位置に存在する他の機器の識別情報（図４４に示す識別情報７５４）も「Ａ」である場合には、提供情報ＯＩとしてＯＩ１が決定される。また、例えば、電子機器７３０から一番近い位置に存在する他の機器の識別情報（図４４に示す識別情報７５４）が「Ａ」であり、電子機器７３０から二番目に近い位置に存在する他の機器の識別情報（図４４に示す識別情報７５４）も「Ａ」であり、電子機器７３０から三番目に近い位置に存在する他の機器の識別情報（図４４に示す識別情報７５４）が「Ｄ」である場合には、提供情報ＯＩとしてＯＩ４が決定される。また、例えば、電子機器７３０から一番近い位置に存在する他の機器の識別情報（図４４に示す識別情報７５４）が「Ｚ」であり、電子機器７３０から二番目に近い位置に存在する他の機器の識別情報（図４４に示す識別情報７５４）も「Ｚ」であり、電子機器７３０から三番目に近い位置に存在する他の機器の識別情報（図４４に示す識別情報７５４）も「Ｚ」である場合には、提供情報ＯＩとしてＯＩＭ（ただし、Ｍは正の整数）が決定される。
【０２７７】
なお、第６の実施の形態では、近い順位として３位までの順位（＃１〜＃３）を使用する例を示すが、２位以上の順位、または、４位以下の順位を使用するようにしてもよい。また、近い順位の数については、予め設定しておくようにしてもよく、ユーザ操作によりユーザの好みの値を設定するようにしてもよい。また、２番目に近い順位と、４番目に近い順位と、６番目に近い順位とのように、近い順位は、連続した値ではなく、非連続の値を用いるようにしてもよい。
【０２７８】
また、Ｍの値については、近い順位の数と、識別情報（第６の実施の形態では、Ａ〜Ｚ）とに基づいて決定される。例えば、近い順位の数が３であり、識別情報がＡ〜Ｚ（２６）の場合には、１７５７６（＝２６×２６×２６）に決定される。ただし、近い順位の数と、識別情報の数とによっては、Ｍの値が大きくなりすぎ、提供情報（例えば、図４に示す音声情報１１及び画像情報１２）を用意できないことも想定される。このため、Ｍの値が、提供情報（例えば、図４に示す音声情報１１及び画像情報１２）の数よりも多い場合には、同一の情報（音声情報１１及び画像情報１２）を、異なる情報（提供情報ＯＩ）に割り当てるようにしてもよい。
【０２７９】
［他の機器から出力される電波の強度を用いて提供情報を決定する例］
図４６、図４７は、第６の実施の形態におけるサーバ７１０が電子機器７３０と他の機器（電子機器７４１〜７４５）との位置情報を用いて提供情報を決定する場合の例を示す図である。
【０２８０】
図４６には、電子機器７３０が存在する位置を基準とした場合の電子機器７３０と他の機器（電子機器７４１〜７４５）との距離を簡略化して示す。なお、図４６に示す破線の円３１〜３３は、電子機器７３０が存在する位置を中心とする円である。
【０２８１】
図４６に示すように、電子機器７３０と電子機器７４１〜７４５との距離（直線の距離）を破線の直線４１〜４５で示す。また、この例では、電子機器７３０と電子機器７４２との距離（直線４２）が一番短く、電子機器７３０と電子機器７４３との距離（直線４３）が二番目に短く、電子機器７３０と電子機器７４１との距離（直線４１）が三番目に短く、電子機器７３０と電子機器７４５との距離（直線４５）が四番目に短く、電子機器７３０と電子機器７４４との距離（直線４４）が五番目に短い（すなわち、一番長い）ものとする。
【０２８２】
図４７（１）には、電子機器７３０と電子機器７４１〜７４５との各距離の順位と、電子機器７４１〜７４５の識別情報とを電子機器７４１〜７４５の順序で並べて示す。図４７（１）では、上段に電子機器７４１〜７４５の名称を示し、中段に各機器の識別情報を示し、下段に各機器の電子機器７３０との近さの順位を示す。
【０２８３】
ここで、各機器間の距離の算出方法については、公知の算出方法を用いることができる。例えば、算出対象となる２つの機器の位置情報（例えば、緯度、経度）に基づいて、２つの機器間の距離を算出することができる。具体的には、算出対象となる２つの機器の位置情報（例えば、緯度、経度）に基づいて、２つの機器間の地上での直線距離を算出することができる。
【０２８４】
また、サーバ７１０は、距離を算出する基準となる機器（対象機器）（例えば、電子機器７３０）について、登録情報に登録されている全ての機器（例えば、電子機器７４１〜７４５）との距離を算出するようにしてもよい。また、サーバ７１０は、対象機器（例えば、電子機器７３０）について、登録情報に登録されている機器のうちの一部の機器との距離のみを算出するようにしてもよい。例えば、サーバ７１０は、対象機器（例えば、電子機器７３０）を基準とした場合に、その対象機器から所定範囲に存在する機器（例えば、半径１〜１０ｋｍの範囲、同一の領域（例えば、同一の遊園地、同一のショッピングパーク）、同一の市町村、同一の国）との距離のみを算出することができる。図４６に示す例では、サーバ７１０は、対象機器（例えば、電子機器７３０）を基準とした場合に、その対象機器から所定範囲（例えば、円３３の範囲）に存在する機器（例えば、電子機器７４１〜７４３、７４５）との距離のみを算出することができる。なお、対象機器から所定範囲に所定数（例えば、３）の機器が存在しない場合には、所定数の機器が存在するまで、その範囲を順次拡大するようにする。
【０２８５】
例えば、図４６に示すように、識別情報「Ｃ」の電子機器７４２が近さ順位で１位（＃１）となり、識別情報「Ｄ」の電子機器７４３が近さ順位で２位（＃２）となり、識別情報「Ｂ」の電子機器７４１が近さ順位で３位（＃３）となり、識別情報「Ｆ」の電子機器７４５が近さ順位で４位（＃４）となり、識別情報「Ｅ」の電子機器７４４が近さ順位で５位（＃５）となる。
【０２８６】
図４７（２）には、図４７（１）の下段に示す近さ順位の順序で並べた場合の電子機器７４１〜７４５の識別情報を示す。なお、これ以降では、電子機器７４１〜７４５を識別する情報を使用しないため、電子機器７４１〜７４５を識別する符号等を省略して示す。
【０２８７】
図４７（３）には、図４７（２）に示す情報のうち、上位３位の機器の識別情報（Ｃ、Ｄ、Ｂ）と一致する識別情報を図４５に示す判定情報から抽出する場合の抽出例を示す。なお、図４７（３）に示す判定情報は、図４５に示す判定情報と同一であり、図４７（３）では、図４５に示す判定情報のうちの一部を省略して示す。また、図４７（３）では、図４７（２）に示す識別情報（Ｃ、Ｄ、Ｂ）と一致する識別情報を、破線の矩形２１内に示す。
【０２８８】
ここで、サーバ７１０が、図４７に示す提供情報ＯＩ（破線の矩形２１内）を決定するまでの各処理について説明する。
【０２８９】
各機器（電子機器７３０、７４１〜７４５）は、位置情報取得部により取得された位置情報を取得し、その位置情報をサーバ７１０に送信する。なお、この位置情報の送信処理は、定期的に行うようにしてもよく、不定期に行うようにしてもよい。
【０２９０】
また、サーバ７１０の制御部７１２は、通信部７１１により受信された各機器からの位置情報を取得して記憶部７１３（図４４に示す登録情報の位置情報７５２）に記憶する。例えば、図４４に示すように、記憶部７１３には、各位置情報が機器毎に記憶される。
【０２９１】
また、各機器（電子機器７３０、７４１〜７４５）は、提供条件を満たす場合には、サーバ７１０からの情報提供を要求する要求情報をサーバ７１０に送信する。
【０２９２】
サーバ７１０の制御部７１２は、各機器（電子機器７３０、７４１〜７４５）からの要求情報を受信した場合には、登録情報（図４４に示す）に登録されている各機器の位置情報に基づいて、提供対象となる情報（提供情報ＯＩ）を決定する。例えば、サーバ７１０の制御部７１２は、その要求情報を送信した機器（対象機器）を基準として、登録情報に登録されている各機器（例えば、全ての機器、所定範囲に存在する機器）との距離を算出する。そして、サーバ７１０の制御部７１２は、算出された各距離（対象機器と他の機器との距離）のうち、上位３位までの距離となる機器の識別情報と一致する識別情報を図４５に示す判定情報から抽出し、提供情報ＯＩを決定する。
【０２９３】
次に、サーバ７１０の制御部７１２は、その受信した要求情報を送信した機器（対象機器）に、対象機器の位置情報に基づいて決定した情報（提供情報）を送信する。
【０２９４】
要求情報を送信した機器（対象機器）は、サーバ７１０からの情報を受信した場合には、受信した提供情報を記憶部に保持させ、その受信した情報を用いた処理を行う。例えば、要求情報を送信した機器（対象機器）は、サーバ７１０から受信した情報に基づいてコンテンツの出力処理を行う。
【０２９５】
［サーバ７１０が情報を提供する場合の通信例］
図４８は、第６の実施の形態におけるサーバ７１０及び電子機器７３０による通信処理例を示すフローチャートである。なお、図４８に示すステップＳ２８６、Ｓ２９０〜Ｓ２９２は、図４１に示すステップＳ２６３、Ｓ２６７〜Ｓ２６９に対応する。このため、ここでは、図４１に示す例と異なる点を中心に説明する。また、サーバ７１０及び電子機器７３０には、図４８に示す各処理を実現するためのアプリケーション（プログラム）が予め設定されているものとする。
【０２９６】
最初に、電子機器７３０の制御部７３３は、位置情報取得部７３２により取得された位置情報を取得する（ステップＳ２８１）。そして、電子機器７３０の制御部７３３は、取得した位置情報を記憶部７３４に記憶させる（ステップＳ２８２）。次に、電子機器７３０の制御部７３３は、その位置情報をサーバ７１０に送信する（ステップＳ２８３）。なお、この位置情報の送信処理は、定期的に行うようにしてもよく、不定期に行うようにしてもよい。
【０２９７】
電子機器７３０からの位置情報を受信した場合には（ステップＳ２８４）、サーバ７１０の制御部７１２は、受信した位置情報を記憶部７１３に記憶させる（ステップＳ２８５）。例えば、サーバ７１０の制御部７１２は、受信した位置情報を図４４に示す機器種別情報７５１「ＯＴ０７３０」に対応する位置情報７５２に格納する。
【０２９８】
次に、電子機器７３０の制御部７３３は、提供条件を満たすか否かを判断する（ステップＳ２８６）。そして、提供条件を満していない場合には、ステップＳ２８１に戻り、提供条件を満たす場合には、ステップＳ２８７に進む。
【０２９９】
なお、提供条件を満たすか否かを判断する判断基準は、例えば、図４１に示す例と同様とすることができる。
【０３００】
提供条件を満たす場合には（ステップＳ２８６）、電子機器７３０の制御部７３３は、サーバ７１０からの情報提供を要求する要求情報をサーバ７１０に送信する（ステップＳ２８７）。なお、要求情報とともに、最新の位置情報を送信するようにしてもよい。この場合には、サーバ７１０の制御部７１２は、要求情報とともに受信した位置情報を記憶部７１３に記憶させ、その位置情報に基づいて提供情報の決定を行う（ステップＳ２８９）。
【０３０１】
電子機器７３０からの要求情報を受信した場合には（ステップＳ２８８）、サーバ７１０の制御部７１２は、登録情報に登録されている各機器の位置情報に基づいて、提供対象となる情報を決定する（ステップＳ２８９）。例えば、サーバ７１０の制御部７１２は、その要求情報を送信した機器（電子機器７３０）を基準として、登録情報に登録されている各機器（例えば、全ての機器、所定範囲に存在する機器）との距離を算出する。そして、サーバ７１０の制御部７１２は、算出された各距離（電子機器７３０と各機器との距離）のうち、上位３位までの距離となる機器の識別情報と一致する識別情報を図４５に示す判定情報から抽出し、提供情報ＯＩを決定する（ステップＳ２８９）。
【０３０２】
次に、サーバ７１０の制御部７１２は、その受信した要求情報を送信した電子機器７３０に、電子機器７３０の位置情報に基づいて決定した情報（提供情報）を送信する（ステップＳ２９０）。
【０３０３】
サーバ７１０からの情報を受信した場合には、電子機器７３０の制御部７３３は、受信した提供情報を記憶部７３４に保持させる（ステップＳ２９１）。次に、電子機器７３０の制御部７３３は、受信した情報を用いた処理を行う（ステップＳ２９２）。例えば、電子機器７３０の制御部７３３は、受信した情報に基づいてコンテンツの出力処理を行う（ステップＳ２９２）。
【０３０４】
なお、第６の実施の形態では、対象機器（基準となる機器）と他の機器との距離を算出し、その距離のうち、上位から所定数（例えば、３位まで）の機器を用いて提供情報を決定する例を示した。ただし、対象機器と他の機器との距離について異なる方法により提供情報を決定するようにしてもよい。例えば、対象機器と他の機器との距離を算出し、対象機器から所定範囲に存在する他の機器の距離の順序（ただし、他の機器の数が多い場合には所定の順位までの機器）と、他の機器の識別情報（図４４に示す識別情報７５４）とを用いて提供情報を決定するようにしてもよい。
【０３０５】
また、対象機器と他の機器との距離以外の情報を用いて提供情報を決定するようにしてもよい。例えば、対象機器から所定範囲に存在する他の機器の数を用いて提供情報を決定することができる。例えば、提供情報ＯＩと他の機器の数とを関連付けた判定情報（例えば、図４５に示す判定情報の「近さ順位」の代わりに「他の機器の数」を設定）を記憶部７１３に記憶しておく。そして、対象機器を中心にした場合の所定半径（例えば、１〜１０ｋｍ）の円の範囲内に存在する他の機器の数を算出し、その数に対応する提供情報ＯＩを抽出することにより、提供情報を決定することができる。
【０３０６】
また、例えば、対象機器から所定範囲に存在する他の機器（または、対象機器からの距離が近い機器のうちの所定数（例えば、１０位まで）の機器）により形成される形状（例えば、三角形、四角形、楕円形、円）を用いて提供情報を決定することができる。例えば、提供情報ＯＩと形状（例えば、直線、複数の三角形、複数の四角形、複数の他の多角形、複数の楕円形、円）とを関連付けた判定情報（例えば、図４５に示す判定情報の「近さ順位」の代わりに「形状」を設定）を記憶部７１３に記憶しておく。そして、他の機器の位置情報に基づいて、地図上における他の機器の位置を特定し、その各位置を結ぶ直線により形成される形状（例えば、他の機器の各位置を直線で結んだ場合に、各直線で形成される閉じた２次元空間（例えば、対象機器を含む閉じた空間）により特定される形状）を特定する。次に、その形状に対応する提供情報ＯＩを抽出することにより、提供情報を決定することができる。例えば、対象機器から所定範囲に存在する他の機器が３であり、他の機器が対象機器を中心にして放射状に位置する場合には、他の機器により形成される形状が三角形（例えば、正三角形に近い形状、二等辺三角形に近い形状）となることが想定される。この場合には、その形状（三角形）に最も近い形状（三角形）の提供情報ＯＩを抽出することにより、提供情報を決定することができる。
【０３０７】
図４６に示す例では、対象機器（電子機器７３０）から所定範囲（破線の円３２）に存在する他の機器は、電子機器７４１〜７４３の３である。また、電子機器７４１〜７４３の各位置を結ぶ直線により形成される形状は、三角形である。この場合には、その三角形に対応する提供情報ＯＩを抽出することにより、提供情報を決定することができる。また、図４６に示す例では、対象機器（電子機器７３０）から所定範囲（破線の円３３）に存在する他の機器は、電子機器７４１〜７４３、７４５の４である。また、電子機器７４１〜７４３、７４５の各位置を結ぶ直線により形成される形状は、四角形（平行四辺形のような形状）である。この場合には、その四角形に対応する提供情報ＯＩを抽出することにより、提供情報を決定することができる。
【０３０８】
また、これらの組み合わせ（対象機器と他の機器との距離、対象機器から所定範囲に存在する他の機器の数、他の機器により形成される形状、これらの各機器の識別情報（図４４に示す識別情報７５４））を用いて提供情報を決定するようにしてもよい。
【０３０９】
なお、第６の実施の形態では、コンテンツを出力する例を示したが、第１〜第５の実施の形態で示した各処理（例えば、電波に基づく無線通信に関する処理及び電波に基づく無線通信を利用した処理とは異なる処理（例えば、ゲーム進行に関する処理、ゲームのキャラクターに何らかの情報を付与する処理））を行う場合についても、第６の実施の形態を適用することができる。
【０３１０】
このように、電子機器７３０（制御部７３３）は、複数の他の機器（例えば、電子機器７４１〜７４５）との相対的な関係（例えば、電子機器７３０と他の機器との距離）に基づいて、当該他の機器との無線通信に関する処理及び当該他の機器との無線通信を利用した処理とは異なる複数の処理（例えば、コンテンツを出力する各処理、ゲームに関する各処理）のうちから少なくとも１つの処理（例えば、１のコンテンツを表示する処理、１のゲーム（例えば、対戦ゲーム、育てるゲーム、放浪ゲーム）に関する処理）を選択して実行することができる。
【０３１１】
また、サーバ７１０（制御部７１２）は、対象機器（例えば、電子機器７３０）と複数の他の機器（例えば、電子機器７４１〜７４５）との相対的な関係に基づいて、複数の処理（対象機器と他の機器との無線通信に関する処理、及び、対象機器と他の機器との無線通信を利用した処理とは異なる）のうちから少なくとも１つの処理を選択し、その選択した１つの処理を対象機器に実行させることができる。なお、第６の実施の形態では、サーバ７１０が１つの機器により構成される例を示したが、サーバ７１０の機能を実現するための各処理を複数の機器（情報処理システム）が行うようにしてもよい。
【０３１２】
なお、第１〜第６の実施の形態で示した各提供情報は、代表的な例を示したものであり、他の情報を用いることができる。例えば、提供情報は、音声のみで構成されるコンテンツ、音声及び画像で構成されるコンテンツ、音声及び動画で構成されるコンテンツ、臭い、味覚、接触に関するコンテンツなどとすることができる。また、提供情報は、複数種類のキャラクタを有するアニメの各キャラクタ（例えば、キャラクタＡ、Ｂ、Ｃ、…、ＸＹＺ）とすることができる。この場合には、異なる電子機器には、同一のキャラクタが提供されないように、各キャラクタが重複して提供されないようにしてもよく、一部の電子機器には、同一のキャラクタが提供されるように、一部のキャラクタを重複して提供するようにしてもよい。
【０３１３】
また、複数種類の映画情報（例えば、映画宣伝の動画、パンフレット）のうちの少なくとも１つの映画に関する情報を提供情報とするようにしてもよい。また、複数の音楽（例えば、歌手の動画、演奏会の動画）のうちの少なくとも１つの音楽に関する情報を提供情報とするようにしてもよい。また、複数の旅先情報（場所、名所、交通手段、割引券等）のうちの少なくとも１つの旅先（例えば、草津温泉、伊香保温泉）に関する情報を提供情報とするようにしてもよい。また、インターネット上で使用可能な複数の割引券、優待券、割引クーポンのうちの少なくとも１つを提供情報とするようにしてもよい。また、複数の店の割引券、優待券、割引クーポンのうちの少なくとも１つの店に関するものを提供情報とするようにしてもよい。また、１または複数の店で使用が可能なポイントに関する情報を提供情報とするようにしてもよい。また、占いに関する情報（例えば、今日の電波占い）を提供情報とするようにしてもよい。このように、提供情報は、アニメのキャラクタ、動物（例えば、映画の登場動物、旅先の遊園地）、人物（例えば、映画の登場人物、旅先の有名人）、植物（例えば、旅先の名産物、見どころの花）、地物（例えば、旅先の地図、旅先の建物、旅先の観光地）、音楽等のうちの１または複数に関する情報とすることができる。また、例えば、ＡＲ（Augmented Reality）（拡張現実）を適用して提供情報を提供するようにしてもよい。例えば、電子機器のカメラ（例えば、スマートフォンのカメラ）により生成された画像（写真）上に、各コンテンツを重ねて表示することができる。
【０３１４】
また、人工知能（ＡＩ（Artificial Intelligence））を利用して、提供対象となるコンテンツの決定や、実行対象となる処理の決定をするようにしてもよい。例えば、電子機器が受信した電波のパターン（例えば、電波受信強度、機器の機種のパターン）と、その電波状況の環境（例えば、スマートフォン等の検索や移動履歴により判定）とについて機械学習を利用して判定情報や提供情報（または実行する処理の情報）を生成し、この生成された各情報を用いて、提供対象となるコンテンツの決定や、実行対象となる処理の決定をすることができる。
【０３１５】
なお、第１〜第６の実施の形態で示した各制御動作は、各処理手順をコンピュータに実行させるためのプログラムに基づいて実行されるため、その各制御動作は、プログラムの発明として把握することができる。すなわち、第１〜第６の実施の形態で示した各制御動作に係るプログラムを電子機器、サーバ等の情報処理装置の記憶媒体に記憶させ、この記憶媒体からそのプログラムを読み出し、読み出したプログラムをその情報処理装置に実行させることにより、第１〜第６の実施の形態で示した各制御動作を実現することができる。また、その情報処理装置の外部の記憶媒体（例えば、ＣＤ（Compact Disc）、ＤＶＤ（Digital Versatile Disc）、メモリカード）等にそのプログラムに記憶させ、用いるようにしてもよい。
【０３１６】
なお、第１〜第６の実施の形態は、特許請求の範囲に記載の発明を実現するための一例を示したものであり、これらに限定されるものではなく、その要旨を逸脱しない範囲において種々の変形を施すことができる。
【符号の説明】
【０３１７】
１００〜１０６、３０１〜３０５、３０９、３１１〜３１５、３２１、３２２、４０１〜４０７、５００、５５０、５６０、７３０、７４１〜７４５  電子機器
１１０、５０１、５５１、５６１、６１１、６３１、７１１、７３１  通信部
１２０、５０３、５５２、５６２、６１２、６３２、７１２、７３３  制御部
１３０、５０４、５５３、５６３、６１３、６３３、７１３、７３４  記憶部
１４０、５０５、５６４、６３４、７３５  操作部
１５０、４１１、５０６、５６５、６３５、７３６  表示部
１６０、５０７、５６６、６３６、７３７  音声出力部
４００  表示装置
５０２、７３２  位置情報取得部
４００、７００  通信システム
６１０、７１０  サーバ
６２０、７２０  ネットワーク
【図１】
2019164780.tif 000003
【図２】
2019164780.tif 000004
【図３】
2019164780.tif 000005
【図４】
2019164780.tif 000006
【図５】
2019164780.tif 000007
【図６】
2019164780.tif 000008
【図７】
2019164780.tif 000009
【図８】
2019164780.tif 000010
【図９】
2019164780.tif 000011
【図１０】
2019164780.tif 000012
【図１１】
2019164780.tif 000013
【図１２】
2019164780.tif 000014
【図１３】
2019164780.tif 000015
【図１４】
2019164780.tif 000016
【図１５】
2019164780.tif 000017
【図１６】
2019164780.tif 000018
【図１７】
2019164780.tif 000019
【図１８】
2019164780.tif 000020
【図１９】
2019164780.tif 000021
【図２０】
2019164780.tif 000022
【図２１】
2019164780.tif 000023
【図２２】
2019164780.tif 000024
【図２３】
2019164780.tif 000025
【図２４】
2019164780.tif 000026
【図２５】
2019164780.tif 000027
【図２６】
2019164780.tif 000028
【図２７】
2019164780.tif 000029
【図２８】
2019164780.tif 000030
【図２９】
2019164780.tif 000031
【図３０】
2019164780.tif 000032
【図３１】
2019164780.tif 000033
【図３２】
2019164780.tif 000034
【図３３】
2019164780.tif 000035
【図３４】
2019164780.tif 000036
【図３５】
2019164780.tif 000037
【図３６】
2019164780.tif 000038
【図３７】
2019164780.tif 000039
【図３８】
2019164780.tif 000040
【図３９】
2019164780.tif 000041
【図４０】
2019164780.tif 000042
【図４１】
2019164780.tif 000043
【図４２】
2019164780.tif 000044
【図４３】
2019164780.tif 000045
【図４４】
2019164780.tif 000046
【図４５】
2019164780.tif 000047
【図４６】
2019164780.tif 000048
【図４７】
2019164780.tif 000049
【図４８】
2019164780.tif 000050